(57)【特許請求の範囲】
【請求項１】
複数のボックス構成体により形成された基板ボックスと、当該基板ボックス内に収容された制御基板と、を有する制御基板装置を備えた遊技機において、
前記複数のボックス構成体として第１構成体及び第２構成体を有し、
前記第１構成体に設けられているとともに当該第１構成体よりも高強度に形成された受け部材に対して、離脱不可又は離脱困難な状態で固定具が固定されることにより、前記基板ボックスの内部空間が開放されないように前記第１構成体及び前記第２構成体を固定する構成体固定手段を備え、
前記受け部材は、前記第１構成体に設けられた設置部に対してその外部から設置されており、
さらに、前記受け部材の取り外し軌道上に配置され、前記固定具の前記受け部材に対する装着を許容しつつ、前記受け部材の前記設置部からの取り外しを規制する規制部材と、
前記規制部材を前記第１構成体に対して固定する規制部材固定手段と
を備え、
前記構成体固定手段はそれぞれ個別に固定状態を実現する第１固定手段及び第２固定手段を有し、前記受け部材は少なくともそれら第１固定手段及び第２固定手段の両方に跨って設けられており、
前記受け部材は、相互に対向する一対の対向板部により少なくとも一部が規定されて形成された一連の溝部を備えているとともに、当該溝部内において前記固定具を係止する係止部を少なくとも前記第１固定手段及び前記第２固定手段に対応させて備えており、前記受け部材に対する前記固定具の係止は前記溝部内において行われるものであり、
前記第１固定手段及び前記第２固定手段は、前記第１構成体側に設けられた第１構成体側固定部と、前記第２構成体側に設けられた第２構成体側固定部と、を備えており、対応する第１構成体側固定部及び第２構成体側固定部の組み合わせに対して前記固定具が挿通され、当該固定具が前記受け部材の前記係止部にて係止されることで前記第１構成体及び前記第２構成体が固定される構成であり、
前記規制部材は、前記受け部材の溝部の入口を、各前記係止部に対応するとともにそれぞれの係止部に向けた前記固定具の挿通を可能とする複数の開口に区画することで、少なくとも前記第１固定手段及び前記第２固定手段のそれぞれの前記第１構成体側固定部を形成しており、
前記構成体固定手段は、前記固定具を用いた固定状態を解除して前記第１構成体と前記第２構成体とを分離する場合よりも当該分離が行い易いように破壊し易く形成された解除部を備えており、当該解除部が破壊されることで前記固定具を用いた固定状態を維持しながら前記第１構成体と前記第２構成体との分離を可能とするものであり、
前記解除部は、前記第２構成体側固定部に配されていることを特徴とする遊技機。
【発明の詳細な説明】
【技術分野】
【０００１】
本発明は、遊技機に関するものである。
【背景技術】
【０００２】
遊技機としては、パチンコ遊技機やスロットマシン等が知られている。これらの遊技機は、ＣＰＵ（中央演算装置）や遊技に関わる制御プログラムが記憶されたＲＯＭ等の電子部品が実装された制御基板を備えており、その制御基板によって一連の遊技が制御されている。なお、近年においては、ＣＰＵやＲＯＭが１チップ化されて制御基板に実装されたものもある。
【０００３】
この種の遊技機においては、不正な利益を得ることを目的として、制御基板を不正に取り外して当該基板内のＲＯＭ（ＣＰＵやＲＯＭが１チップ化されている場合は当該チップ）を交換して遊技内容を変更したり、リード線等により外部から不正な電気信号を制御基板に入力させたりする等、制御基板に対しての不正行為が数多く報告されており、従来より各種の不正対策が検討されている。
【０００４】
例えば、基板ボックスを構成する複数のボックス構成体を相互に固定するとともに、その固定箇所における固定状態の解除を不可又は困難なものとするための固定構造（いわゆる、カシメ構造）を持たせたものが知られている（例えば特許文献１参照）。当該固定構造は、その固定の解除に際して破壊を要するように構成されている。これにより、基板ボックスの開放時にはその破壊による開放履歴を残すことができ、不正に基板ボックスが開放された場合にはそれを発見することが可能となる。
【先行技術文献】
【特許文献】
【０００５】
【特許文献１】特開２００３−１８０９１７号公報
【発明の概要】
【発明が解決しようとする課題】
【０００６】
ここで、基板ボックスにおいては、上記のような固定構造を持たせるようにしたことに伴って、基板ボックスの形成作業が複雑化してしまうことが懸念される。そして、当該形成作業の複雑化は、基板ボックスのセキュリティ性を高めるほど、より顕著なものとなってしまうものと考えられる。
【０００７】
本発明は、上記例示した事情等に鑑みてなされたものであり、基板ボックスに制御基板が収容されてなる制御基板装置を備えた遊技機において、基板ボックスを不正に開放させる行為を好適に抑制することを可能なようにしつつ、当該基板ボックスの形成を良好に行うことを可能とした遊技機を提供することを目的とするものである。
【課題を解決するための手段】
【０００８】
本発明は、
複数のボックス構成体により形成された基板ボックスと、当該基板ボックス内に収容された制御基板と、を有する制御基板装置を備えた遊技機において、
前記複数のボックス構成体として第１構成体及び第２構成体を有し、
前記第１構成体に設けられているとともに当該第１構成体よりも高強度に形成された受け部材に対して、離脱不可又は離脱困難な状態で固定具が固定されることにより、前記基板ボックスの内部空間が開放されないように前記第１構成体及び前記第２構成体を固定する構成体固定手段を備え、
前記受け部材は、前記第１構成体に設けられた設置部に対してその外部から設置されており、
さらに、前記受け部材の取り外し軌道上に配置され、前記固定具の前記受け部材に対する装着を許容しつつ、前記受け部材の前記設置部からの取り外しを規制する規制部材と、
前記規制部材を前記第１構成体に対して固定する規制部材固定手段と
を備え、
前記構成体固定手段はそれぞれ個別に固定状態を実現する第１固定手段及び第２固定手段を有し、前記受け部材は少なくともそれら第１固定手段及び第２固定手段の両方に跨って設けられており、
前記受け部材は、相互に対向する一対の対向板部により少なくとも一部が規定されて形成された一連の溝部を備えているとともに、当該溝部内において前記固定具を係止する係止部を少なくとも前記第１固定手段及び前記第２固定手段に対応させて備えており、前記受け部材に対する前記固定具の係止は前記溝部内において行われるものであり、
前記第１固定手段及び前記第２固定手段は、前記第１構成体側に設けられた第１構成体側固定部と、前記第２構成体側に設けられた第２構成体側固定部と、を備えており、対応する第１構成体側固定部及び第２構成体側固定部の組み合わせに対して前記固定具が挿通され、当該固定具が前記受け部材の前記係止部にて係止されることで前記第１構成体及び前記第２構成体が固定される構成であり、
前記規制部材は、前記受け部材の溝部の入口を、各前記係止部に対応するとともにそれぞれの係止部に向けた前記固定具の挿通を可能とする複数の開口に区画することで、少なくとも前記第１固定手段及び前記第２固定手段のそれぞれの前記第１構成体側固定部を形成しており、
前記構成体固定手段は、前記固定具を用いた固定状態を解除して前記第１構成体と前記第２構成体とを分離する場合よりも当該分離が行い易いように破壊し易く形成された解除部を備えており、当該解除部が破壊されることで前記固定具を用いた固定状態を維持しながら前記第１構成体と前記第２構成体との分離を可能とするものであり、
前記解除部は、前記第２構成体側固定部に配されていることを特徴とする。
【発明の効果】
【０００９】
本発明によれば、基板ボックスに制御基板が収容されてなる制御基板装置を備えた遊技機において、基板ボックスを不正に開放させる行為を好適に抑制することを可能なようにしつつ、当該基板ボックスの形成を良好に行うことができる。
【図面の簡単な説明】
【００１０】
【図１】一実施の形態におけるパチンコ機の構成を示す前方から見た斜視図。
【図２】遊技機本体の主要な構成を分解して示す分解斜視図。
【図３】内枠の構成を示す正面図。
【図４】遊技盤の構成を示す正面図。
【図５】内枠の構成を示す背面図。
【図６】裏パックユニットの構成を示す正面図。
【図７】主制御装置の構成を示す斜視図。
【図８】主制御装置の構成を示す正面図。
【図９】主制御装置の構成を示す分解斜視図。
【図１０】（ａ）主制御装置の一部を拡大して示す側面図、（ｂ）図１０（ａ）のＡ―Ａ線断面図。
【図１１】（ａ）本パチンコ機における基板ボックスの規制箇所を示す断面図、（ｂ）比較対象の基板ボックスの規制箇所を示す断面図。
【図１２】（ａ）〜（ｃ）表側構成体と裏側構成体との組み付け作業を説明するための説明図。
【図１３】裏側結合領域の構成を示す断面図。
【図１４】受け部材の構成を示す斜視図。
【図１５】（ａ）カバー部材の構成を示す正面図、（ｂ）カバー部材の構成を示す斜視図。
【図１６】（ａ）図８のＢ−Ｂ線部分断面図、（ｂ）組み付け手順を説明するための説明図。
【図１７】（ａ）〜（ｃ）裏側結合領域を形成する上での作業を説明するための説明図。
【図１８】（ａ）第１表側結合部と裏側結合部との結合箇所を示す主制御装置の断面図、（ｂ）第２表側結合部と裏側結合部との結合箇所を示す主制御装置の断面図。
【図１９】図８のＣ−Ｃ線部分断面図。
【図２０】（ａ）〜（ｃ）表側結合部と裏側結合部とを結合状態とする場合の作業の流れを説明するための説明図。
【図２１】（ａ）〜（ｃ）表側構成体と裏側構成体との固定状態を解除する場合の作業の流れを説明するための説明図、（ｄ），（ｅ）表側構成体と裏側構成体とを再固定する場合の作業の流れを説明するための説明図。
【図２２】パチンコ機の電気的構成を示すブロック図。
【図２３】（ａ）別の主制御装置の構成を説明するための説明図、（ｂ）別の主制御装置の構成を説明するための説明図。
【図２４】別の主制御装置の構成を説明するための説明図。
【発明を実施するための形態】
【００１１】
はじめに、本実施の形態から抽出され得る発明を、必要に応じて効果等を示しつつ説明する。
【００１２】
手段１．複数のボックス構成体（表側構成体１０１、裏側構成体１０２）により形成された基板ボックス（基板ボックス９２）と、当該基板ボックス内に収容された制御基板（主制御基板９１）と、を有する制御基板装置（主制御装置６３）を備えた遊技機において、
前記複数のボックス構成体として第１構成体（裏側構成体１０２）及び第２構成体（表側構成体１０１）を有し、
前記第１構成体に設けられているとともに当該第１構成体よりも高強度に形成された受け部材（受け部材１５３）に対して、離脱不可又は離脱困難な状態で固定具（第１結合具１８１，第２結合具１８３）が固定されることにより、前記基板ボックスの内部空間が開放されないように前記第１構成体及び前記第２構成体を固定する構成体固定手段（表側結合領域１４１、裏側結合領域１５１）を備え、
前記受け部材は、前記第１構成体に設けられた設置部（結合領域形成部１５２）に対してその外部から設置されており、
さらに、前記受け部材の取り外し軌道上に配置され、前記固定具の前記受け部材に対する装着を許容しつつ、前記受け部材の前記設置部からの取り外しを規制する規制部材（カバー部材１５４）と、
前記規制部材を前記第１構成体に対して固定する規制部材固定手段（破断ネジ１７０）と
を備えていることを特徴とする遊技機。
【００１３】
手段１によれば、第１構成体よりも高強度の受け部材に対して固定具が固定されることで第１構成体と第２構成体との固定が行われるため、受け部材と固定具との固定箇所を破壊して当該固定を解除しようとしてもそれが行いづらくなる。
【００１４】
第１構成体の形成に際して受け部材をインサート成型する構成も考えられるが、この場合、受け部材の不正な取り外し等を困難なものとすることができる反面、金型の複雑化等を招くこととなり好ましくない。また、完成後の第１構成体に対して別体で設けられた受け部材を嵌め込む構成とすれば、上述したインサート成型を行う場合と比較して、金型の簡素化を図ることができる反面、受け部材の不正な取り外しが行われやすくなると懸念される。このように受け部材の取り外しが容易となれば、基板ボックスの不正な開放が行われやすくなったり、受け部材に細工等施すことにより基板ボックスの不正開放の痕跡を隠蔽されやすくなったりすると想定され、防犯性の観点から好ましくない。
【００１５】
これに対して、本手段では、受け部材は第１構成体の設置部に配置され、規制部材によって設置部からの取り外しが規制されているとともに当該規制部材は規制部材固定手段によって第１構成体に固定されている。これにより、製造工程（金型）の複雑化を抑えつつ、受け部材の不正な取り外しを抑制することが可能となる。よって、基板ボックスの形成を良好に行うことを可能としつつ、基板ボックスに対して行われる不正行為の抑制に貢献することができる。
【００１６】
なお、「離脱不可又は離脱困難な状態で固定具が固定される」とは、受け部材に対して離脱不可又は離脱困難となった状態が保持されることをいい、遊びのない状態で固定具が配置されている構成又は遊びのある状態で固定具が配置されている構成のいずれであってもよい。
【００１７】
また、「前記第１構成体及び前記第２構成体を固定する」とは、第１構成体及び第２構成体の分離が規制されていることをいい、遊びのない状態で第１構成体及び第２構成体が組み合わされている構成又は遊びのある状態で第１構成体及び第２構成体が組み合わされている構成のいずれであってもよい。
【００１８】
手段２．前記構成体固定手段は、それぞれ個別に固定状態を実現する第１固定手段（１組の表側結合部１４２，１４３と裏側結合部１７６）及び第２固定手段（他の１組の表側結合部１４２，１４３と裏側結合部１７６）を有し、
前記受け部材は、少なくとも前記第１固定手段及び前記第２固定手段の両方に跨って設けられていることを特徴とする手段１に記載の遊技機。
【００１９】
手段２によれば、受け部材は、少なくとも第１固定手段及び第２固定手段の両方に跨って設けられた部材であるため、第１固定手段及び第２固定手段のそれぞれに対して個別に受け部材を設置する構成に比べ、基板ボックスの形成作業を良好に行うことができる。また、受け部材を複数設置する場合、一の規制部材によってそれら全ての受け部材の取り外しを規制することは困難となりやすく、規制部材の数を増やす等の対応がなされやすくなると想定される。仮に各受け部材に対応する複数の規制部材を備える構成が採用された場合、それら各規制部材を規制部材固定手段によってそれぞれ固定する必要が生じる。すなわち、構成体固定手段（受け部材）の数の増加に依存して規制部材を装着する際の作業性が悪化しやすくなると想定される。この点、本手段に示すように第１固定手段及び前記第２固定手段に亘る一の受け部材を有する構成とすれば、規制部材の数の増加を抑えることが容易となり、規制部材の固定作業の煩雑化を抑えることができる。これにより、実用上好ましい構成を実現できる。
【００２０】
手段３．前記受け部材は、相互に対向する一対の対向板部（対向板部１６４，１６５）により少なくとも一部が規定されて形成された一連の溝部（凹み空間１６１）を備えているとともに、当該溝部内において前記固定具を係止する係止部（係止部１５８）を少なくとも前記第１固定手段及び前記第２固定手段に対応させて備えており、前記受け部材に対する前記固定具の係止は前記溝部内において行われるものであり、
前記第１固定手段及び前記第２固定手段は、前記第１構成体側に設けられた第１構成体側固定部（裏側結合部１７６）と、前記第２構成体側に設けられた第２構成体側固定部（表側結合部１４２，１４３）と、を備えており、対応する第１構成体側固定部及び第２構成体側固定部の組み合わせに対して前記固定具が挿通され、当該固定具が前記受け部材の前記係止部にて係止されることで前記第１構成体及び前記第２構成体が固定される構成であり、
前記規制部材は、前記受け部材の溝部の入口を、前記各係止部に対応するとともにそれぞれの係止部に向けた前記固定具の挿通を可能とする複数の開口（貫通孔部１７４）に区画することで、少なくとも前記第１固定手段及び前記第２固定手段のそれぞれの前記第１構成体側固定部を形成していることを特徴とする手段２に記載の遊技機。
【００２１】
手段３によれば、溝部内に複数の係止部が形成されており、固定具との係止は溝部内において行われる。つまり、固定具の係止箇所は、第１構成体よりも高強度の受け部材により規定された溝部内において行われる。よって、当該係止箇所の周囲を破壊して、係止状態を解除しようとしてもそれが行いづらくなり、かかる不正行為を阻止することが可能となる。また、一連の溝部内に少なくとも第１固定手段及び第２固定手段に対応した係止部を設けるという比較的簡素な構成により、少なくとも第１固定手段及び第２固定手段について上記優れた効果を得ることができる。
【００２２】
また、第１構成体よりも高強度の受け部材において溝部の入口を複数の開口に区画する部位が設けられていなくても、当該区画する機能が規制部材により果たされる。これにより、受け部材の形状をシンプルなものとすることが可能となる。また、例えば受け部材を金属製とするとともに規制部材を合成樹脂製とした場合、第１構成体側固定部において複雑な形状を有する部位については合成樹脂製の規制部材を用いて形成するとともに、固定具を係止する部位については金属製の受け部材を用いて形成することで、第１固定手段及び第２固定手段の各第１構成体側固定部の一体的な形成を良好に行うことができる。
【００２３】
手段４．前記構成体固定手段は、前記固定具を用いた固定状態を解除して前記第１構成体と前記第２構成体とを分離する場合よりも当該分離が行い易いように破壊し易く形成された解除部（連結部１４５）を備えており、当該解除部が破壊されることで前記固定具を用いた固定状態を維持しながら前記第１構成体と前記第２構成体との分離を可能とするものであり、
前記解除部は、前記第２構成体側固定部に対して設けられていることを特徴とする手段３に記載の遊技機。
【００２４】
手段４によれば、解除部を破壊することで、固定具を用いた固定状態を維持しながら第１構成体と第２構成体との分離を可能とする構成であるため、固定具を用いた固定を強固に行うようにしつつ、第１構成体と第２構成体との分離に際してその痕跡を残すことが可能となる。
【００２５】
この場合に、解除部は第２構成体側固定部に対して設けられている。例えば、解除部が第１構成体側固定部に対して設けられている構成を想定すると、解除部を破壊しただけでは第１構成体と第２構成体との分離を行うことができず、さらに受け部材の破壊を要することが想定される。そうすると、第１構成体と第２構成体との分離操作を容易に行うことができない。これに対して、解除部が第２構成体側固定部に対して設けられているため、上記のような不都合が生じることはなく、第１構成体と第２構成体との分離操作を容易に行うことが可能となる。
【００２６】
なお例えば、前記解除部を前記第１固定手段及び前記第２固定手段に対してそれぞれ別個独立に形成するとよい。これにより、第１固定手段及び第２固定手段を異なるタイミングで使用可能とすることができる。すなわち、両構成体の固定状態を解除し、基板ボックスを開放した後、両構成体を再度固定状態とすることができる。
【００２７】
手段５．前記固定具は、前記第１固定手段又は前記第２固定手段を固定状態とすることに基づき、前記第１構成体からの前記規制部材の取り外しを規制するものであり、
前記解除部が破壊されたとしても、前記固定具による前記規制部材の取り外しの規制が維持されることを特徴とする手段４に記載の遊技機。
【００２８】
手段５によれば、解除部を破壊して第１構成体と第２構成体とを分離させたとしても、固定具を用いた固定状態は維持されるとともに、当該固定具による規制部材の取り外し規制状態も維持される。このように、固定具を介して規制部材の取り外しを規制することにより、規制部材の装着状態を良好に維持することができる。また、固定具に規制部材の取り外しを規制する機能を付与することにより、固定具の多機能化を図ることができる。
【００２９】
固定具に付与された機能についてより詳しく説明する。手段３に示す構成（一の規制部材に開口を形成し第１固定手段及び第２固定手段に対応する第１構成体側固定部を形成している構成）との組み合わせにより、以下の優れた効果を奏する。
【００３０】
仮に第１固定手段及び第２固定手段に対応する規制部材が個別に設けられている場合を想定すれば、解除部を切断等することにより第１固定手段及び第２固定手段のいずれか一方の固定状態を解除した後、その固定手段に対応する規制部材を取り外すには２つ異なるの解除操作が必要となり得る。すなわち、規制部材固定手段の固定状態の解除操作と固定具による取り外し規制の解除操作である。一方、第１固定手段及び第２固定手段の他方に対応する規制部材を取り外すには、規制部材固定手段の固定状態の解除操作が必要となるものの、固定具による取り外し規制の効果はおよばないため当該固定具に関する規制の解除操作は必要とならない。このため、第１固定手段及び第２固定手段のうち解除部の切断等による固定状態解除の対象とならない一方は、他方に対して規制部材の取り外しが容易となり得る。
【００３１】
この点、一の規制部材により第１固定手段及び第２固定手段の両者に対応する構成とすれば、第１固定手段及び第２固定手段のいずれか一方の固定状態を解除した場合であっても、規制部材の取り外しには、必ず２つの解除操作が必要となる。すなわち、解除部の切断等による固定状態の解除対象であるか否かに関係なく、規制部材の取り外しには２つの解除操作が必要となる。具体的には、固定状態が解除された後も固定具（及び規制部材固定手段）によって規制部材の第１構成体からの離れが好適に抑えられる。つまり、固定具による取り外し規制効果は、当該固定具の装着対象となった第１固定手段及び第２固定手段の一方のみならず、同固定具の装着対象以外の第１固定手段及び第２固定手段の他方、すなわち解除部の解除操作対象とならなかった第１固定手段及び第２固定手段の他方に対しても及ぶこととなる。これにより、例えば第１固定手段の解除部が切断等された後に当該第１固定手段に残存する固定具によって第２固定手段における防犯性の向上に貢献することが可能となる。
【００３２】
手段６．前記規制部材固定手段は、前記第１固定手段に対応する前記開口と前記第２固定手段に対応する前記開口との間に配置されていることを特徴とする手段３乃至手段５のいずれか１つの手段に記載の遊技機。
【００３３】
手段３等に示した構成においては、規制部材固定手段を第１固定手段及び第２固定手段の間、すなわちそれら第１固定手段及び第２固定手段に対応する各第１構成体側固定部の間に配置することにより、実用上好ましい構成を実現できる。
【００３４】
具体的には、規制部材が受け部材の溝部の入口を複数の開口に区画し第１構成体側固定部を形成している場合、規制部材と受け部材（詳しくは係止部）との相対位置がずれることにより、固定具の挿通作業が行いづらくなるおそれがある。すなわち、規制部材と受け部材との位置ずれにより、基板ボックスの形成作業が妨げられることが懸念される。このような、位置ずれは規制部材固定手段による固定箇所と第１固定手段及び第２固定手段との距離に左右されやすいと想定される。すなわち、規制部材固定手段による固定箇所からの距離が大きくなればなるほど、位置ずれが発生しやすくなると懸念される。
【００３５】
この点、本手段によれば、規制部材固定手段が第１固定手段及び第２固定手段の間、すなわちそれら第１固定手段及び第２固定手段に対応する各第１構成体側固定部の間に配置されている。このため、規制部材固定手段による固定箇所及び第１固定手段の距離寸法と、前記固定箇所及び第２固定手段の距離寸法の偏りを抑えやすくすることができる。つまり、いずれか一方の距離寸法が極端に大きくなることを抑制しやすくできる。これにより、上記位置ずれの発生を抑えやすくし、規制部材を有する構成を採用したとしても、当該規制部材によって基板ボックスを形成する際の作業性を担保することが可能となる。
【００３６】
また、上記構成によれば、受け部材（詳しくは第１構成体）からの規制部材の離れ、例えば浮き上がり等を抑制しやすくできる。これにより、仮に不正行為者が規制部材を第１構成体から引き離すように引っ張り、溝部（詳しくは係止部）を大きく露出させようとしても、いずれか一方の固定手段（詳しくは係止部）へのアクセスが極端に容易になることが抑制され、そのような不正行為を困難なものとすることができる。例えば、規制部材固定手段を第１固定手段及び第２固定手段の中間位置に配するとよい。
【００３７】
手段７．前記第２固定手段に対応する前記開口は、前記第１固定手段に対応する前記開口と前記規制部材固定手段との間に配置されていることを特徴とする手段５に記載の遊技機。
【００３８】
手段７によれば、規制部材固定手段と第１固定手段に対応する開口との間に第２固定手段に対応する開口が挟まれている。かかる構成において、例えば製造時のボックス構成体の固定に第１固定手段を用い、基板ボックスを開放した後にボックス構成体を再固定する際に第２固定手段を用いることにより、以下の優れた効果を期待できる。
【００３９】
手段５に示したように、解除部が切断等された後には固定具が残存することにより規制部材の取り外しが規制される。規制部材固定手段と固定具によって取り外しが規制された部位との間に第２固定手段が存在すれば、第２固定手段における受け部材（係止部）と規制部材の開口との相対位置がずれにくくなる。これにより、第２固定手段に固定具を挿通する際の引っ掛かりを抑制し、作業性の担保が可能となる。また、仮に不正行為者が規制部材を変形させたり移動させたりして第２固定手段の係止部に対するアクセスを容易化しようとしても、第２固定手段周辺における規制部材の変形や移動が好適に抑えられる。これにより、上述したような不正行為を困難なものとすることができる。すなわち、第１固定手段の解除部が切断等された後に残存する固定具によって、第２固定手段における作業性の担保や防犯性の向上に貢献することが可能となる。
【００４０】
なお、本手段を手段６に示した技術的思想と組み合わせて用いることも可能である。具体的には、対を成す（１組の）第１固定手段の間に、対をなす（１組の）第２固定手段を配置し、それら第２固定手段の間に規制部材固定手段を配置することも可能である。かかる場合、製造時に基板ボックスを形成する際に第１固定手段を用い、基板ボックスを開放した後の再ボックス化の際に第２固定手段を用いれば、更なる防犯性の向上を期待することができる。
【００４１】
手段８．前記規制部材固定手段は、当該規制部材固定手段と前記第１固定手段との距離寸法が、当該規制部材固定手段と前記第２固定手段との距離寸法よりも大きくなるように配置されていることを特徴とする手段６又は手段７に記載の遊技機。
【００４２】
手段８に示すように規制部材固定手段に対する第１固定手段及び第２固定手段の距離寸法が異なる場合、第１固定手段及び第２固定手段のどちらを用いて固定を行うかによって、規制部材の固定状態の安定度が相違する。具体的には、固定具が規制部材の取り外しを規制する機能を有する構成においては、規制部材の取り外しは規制部材固定手段及び固定具の両者によって規制されることとなる。かかる場合、規制部材固定手段と近い側の第２固定手段を用いて規制部材の取り外しを規制すると、規制部材における取り外しの規制が行われる箇所が局所的に集中しやすくなる。このため、規制部材全域における固定状態の安定化を図ることは困難となり得る。一方、第１固定手段を用いて規制部材の取り外しを規制すれば、規制部材における取り外しの規制が行われる箇所を分散させやすくなり、規制部材全体としての固定状態の安定化を促進することが可能となる。例えば、第１固定手段及び第２固定手段を２段階に分けて使用する場合（第２固定手段を再ボックス化の際の再固定手段として使用する場合）、基板ボックスの作成時に第１固定手段を用いて両構成体を固定することにより、第１固定手段による規制部材の固定状態安定機能は、基板ボックス製作時から発揮され、更に両構成体を固定する機能が第２固定手段によって行われる段階になっても維持される。これにより、実用上好ましい構成を実現できる。
【００４３】
手段９．前記第１固定手段及び前記第２固定手段は、前記第１構成体側に設けられた第１構成体側固定部（裏側結合部１７６）と、前記第２構成体側に設けられた第２構成体側固定部（表側結合部１４２，１４３）と、を備えており、対応する第１構成体側固定部及び第２構成体側固定部の組み合わせに対して前記固定具が挿通され、当該固定具が前記受け部材の前記係止部にて係止されることで前記第１構成体及び前記第２構成体が固定される構成であり、
前記固定具を前記第２構成体側固定部にて仮止めする仮止め手段（係止爪部１４３ｄ）を備えていることを特徴とする手段２乃至手段８のいずれか１つの手段に記載の遊技機。
【００４４】
手段９に示すように、予め固定具を待機させておくことで、再ボックス化時の作業の簡略化に貢献することが可能となる。特に手段８との組み合わせにおいては、少なくとも第２固定手段が仮止め手段を備える構成とするとよい。これにより、例えば第２固定手段を再ボックス化の再の再固定手段として用いる場合に、固定具の装着作業を円滑に行うことが可能となる。
【００４５】
手段１０．前記固定具を所定の装着軌道に沿って移動させることで前記受け部材に装着させることが可能であり、
前記仮止め手段は、前記固定具を前記装着軌道上にて仮止めし、当該仮止め手段によって仮止めされた状態においては、前記固定具の前記受け部材側への移動が許容されているとともに、前記受け部材から離れる方向への移動が規制されていることを特徴とする手段９に記載の遊技機。
【００４６】
手段１０によれば、固定具を所定の装着軌道に仮止めすることにより、装着時の作業性の向上を図ることができる。また、その固定具の取り外しが規制されることとなるため、固定具が不正に取り外されるといった不都合を生じにくくすることができ、更には固定具の盗難や紛失を抑制することも可能となる。
【００４７】
因みに、固定具は、仮止めされている状態から所定の固定位置への移動は許容されているため、固定時の作業性は担保される。
【００４８】
なお、固定具を一時的に保持する機能に着目すれば、上記「仮止め手段」を「保持手段」と称することも可能である。
【００４９】
また、例えば受け部材（詳しくは係止部）へ固定具を案内する案内手段を備える構成とすることも可能である。かかる場合、当該案内手段によって「所定の装着軌道」を実現するとよい。
【００５０】
手段１１．前記第２構成体側固定部は、前記所定の装着軌道に沿って延び、当該固定具の通過領域を区画形成する区画壁部（周壁部１４３ｂ）を備え、
前記固定具は、前記仮止め手段により前記通過領域内にて仮止めされていることを特徴とする手段１０に記載の遊技機。
【００５１】
手段３等に示したように固定具を挿入する部位が受け部材に対して連なっている構成にあっては、固定具の挿入される部位（開口）を介して不正が行われる可能性がある。このような不都合は特に、複数回の開放を考慮して複数の固定手段を備えている構成（詳しく第２固定手段が再固定手段である構成）において生じやすいと想定される。具体的には、再固定に備えて固定具が挿入されていない開口が設定されている場合、その開口が不正の対象となりやすい。
【００５２】
第１固定手段によって両構成体の１度目の固定を行い、第２固定手段によって両構成体の２度目の固定を行うとよい。本手段に示す仮止め手段によって第２構成体側固定部にて固定具を仮止めすることにより、固定具が挿入される部位（開口）を介して不正具が挿入される等した場合であっても、固定具によって不正具の侵入を困難なものとすることができる。このように仮止めされた固定具によって不正具等の侵入を妨げることができれば、更なる防犯性の向上を期待できる。
【００５３】
手段１２．前記第２構成体側固定部は、前記固定具を収容する収容空間を区画形成する区画壁部（周壁部１４３ｂ）を備え、
前記固定具は、当該固定具の挿入方向と交差する方向に延びる操作面部（操作部１８３ｂ）を備え、
前記操作面部は、前記固定具が前記仮止め手段によって仮止めされた状態にて、前記収容空間内に収まっていることを特徴とする手段１０に記載の遊技機。
【００５４】
手段１２によれば、操作面部を押し操作することで固定具の挿入作業を容易に行うことができる。このような押し操作は、操作面部へのアクセス（物理的な接触）が可能な状態であれば容易に実施できる。すなわち、固定具（詳しくは操作面部）が区画壁部によって区画形成された収容空間内に収容された状態であっても、操作面部へのアクセスが可能であることによりその操作性は担保される。一方、操作面部が収容空間内に収容されることにより、操作面部の引っ張り作業（取り出し作業）を行うことは困難となる。具体的には、操作面部を把持しようとしても、そのように操作面部を掴む行為は周囲の区画壁部によって妨げられることとなる。これにより、固定具の受け部材へ向けての移動を担保しつつ、当該固定具の不正な取り外しを困難なものとすることができる。
【００５５】
なお、仮止め手段を区画壁部によって区画形成された収容空間内に設けるとよい。これにより、固定具自身によって仮止め手段へのアクセスを妨げ、仮止め状態が不正に解除されるといった不都合を生じにくくすることができる。
【００５６】
手段１３．前記第１構成体及び第２構成体が組み合わせられた状態にて、前記規制部材固定手段の取り外し軌道上に前記第２構成体の少なくとも一部（遮蔽部１８０）が重なっていることを特徴とする手段１乃至手段１２のいずれか１つの手段に記載の遊技機。
【００５７】
規制部材の固定が解除されると、規制部材の位置ずれ等が生じやすくなり、両構成体を固定する構成体固定手段への不正なアクセスがなされやすくなるおそれがある。特に、規制部材が両構成体の固定に関係する構成においては、このような規制部材の固定が解除されることによる両構成体の固定状態への影響は強まると想定され、好ましくない。この点、本手段によれば、両構成体がボックス化された状態においては、固定手段の取り外し軌道上に第２構成体の少なくとも一部が重なることとなる。これにより規制部材固定手段の取り外し、すなわち装着方向と反対の方向への移動を制限することができるため、規制部材の取り外しを切っ掛けとして行われる不正行為を困難なものとすることができる。
【００５８】
また、仮に規制部材固定手段の取り外しを規制する部材（別部材）を別途設けた場合には、この別部材の取り付け作業等が別途必要になると考えられる。このように構成（機能）の追加に応じて作業工程が増加することは、制御装置作成時の作業性担保の観点から好ましくない。この点、本手段に示すように、両構成体の組み付けに伴って規制部材固定手段の取り外しが規制される構成とすれば、特別な作業を必要とすることはない。故に、作業性の担保と防犯性の向上とを好適に両立することができる。
【００５９】
手段１４．少なくとも前記規制部材固定手段の取り外し軌道と交差するように設けられ、前記規制部材固定手段の取り外しを規制する規制手段（円筒部１７８及び遮蔽部１８０）を備えていることを特徴とする手段１乃至手段１２のいずれか１つの手段に記載の遊技機。
【００６０】
手段１４によれば、手段１３と同様の効果を奏する。また、仮に両構成体が分離された状態においても規制手段による取り外しの規制が持続される構成とすれば、受け部材の不正な取り外しを一層好適に回避することが可能となる。
【００６１】
手段１５．前記規制手段は、
前記規制部材に形成され、前記規制部材固定手段の取り外し方向に延びる筒状の規制部材側壁部（円筒部１７８）と、
前記第２構成体側に形成され前記規制部材側壁部の開口を覆う構成体側壁部（遮蔽部１８０）と
からなることを特徴とする手段１４に記載の遊技機。
【００６２】
手段１５によれば、規制部材側壁部及び構成体側壁部によって、規制部材固定手段の露出を抑えることが可能となる。仮に、規制部材固定手段の露出を抑える部材（遮蔽部材）を別途設けた場合には、この遮蔽部材の取り付け作業が別途必要になると考えられる。このように構成（機能）の追加に応じて作業工程が増加することは、制御装置を作成時の作業性担保の観点から好ましくない。この点、本手段に示すように、両構成の組み付けに伴って規制部材固定手段が格納される構成とすれば、特別な作業を必要としない。これにより、作業性の担保と防犯性の向上とを好適に両立することができる。
【００６３】
手段１６．前記受け部材は前記設置部に対して固定されており、前記規制部材は少なくとも前記受け部材の前記設置部に対する固定箇所を含んだ領域を覆っていることを特徴とする手段１乃至手段１５のいずれか１つの手段に記載の遊技機。
【００６４】
手段１６によれば、規制部材によって受け部材の固定箇所を含んだ領域が覆われている。これにより、受け部材の固定箇所の露出を抑制し、当該受け部材が不正に取り外されるといった不都合を生じにくくすることができる。これにより更なる防犯性の向上に貢献することができる。
【００６５】
なお、本手段に示すように、「規制部材」が受け部材の少なくとも一部覆っている点、詳しくは受け部材の固定箇所を含んだ領域を覆っている点に着目すれば、「規制部材」を「カバー部材」と称することも可能である。
【００６６】
手段１７．前記規制部材は、前記第１構成体及び前記第２構成体が固定された状態において、前記第１構成体と前記第２構成体との間に挟持されていることを特徴とする手段１乃至手段１６のいずれか１つの手段に記載の遊技機。
【００６７】
手段１等に示すように、規制部材は規制部材固定手段によって固定されているが、この規制部材固定手段によって規制部材と第１構成体との離れを一層好適に抑えようとすれば、規制部材固定手段の設定数の増加や、規制部材固定手段の配置領域の増大を招来しやすくなると想定される。この点、本手段に示すように、規制部材が両構成体によって挟持される構成とすれば、規制部材固定手段による固定部位以外の部位においても、当該規制部材と第１構成体との離れを好適に抑えることができる。
【００６８】
手段１８．前記規制部材固定手段によって前記受け部材及び前記規制部材が固定されていることを特徴とする手段１乃至手段１７のいずれか１つの手段に記載の遊技機。
【００６９】
手段１８によれば、規制部材固定手段によって受け部材及び規制部材が固定されている。すなわち、規制部材固定手段によって、第１構成体と受け部材と規制部材とが一体化されている。このように、規制部材固定手段によって複数部材を一体化することで、それら各部材の相対位置の位置ずれを生じにくくすることができる。これにより、構成体固定手段による固定状態を安定化することができる。具体的には、規制部材を動かそうとした場合、当該規制部材の移動に追従して受け部材も移動することとなる。すなわち、両者の相対関係は担保される。このため、両者の位置関係をずらすことで、構成体固定手段による固定状態を不安定にするといった不正行為を抑制しやすくできる。
【００７０】
手段１９．少なくとも前記第１ボックス構成体と前記規制部材との両者は透明性を有する材料によって形成されていることを特徴とする手段１乃至手段１８のいずれか１つの手段に記載の遊技機。
【００７１】
手段１９によれば、少なくとも前記第１ボックス構成体と前記規制部材との両者は透明性を有しているため、規制部材固定手段を基板ボックスの外部から視認することができる。これにより、規制部材固定手段の不正な取り外し等が行われていないかを、両構成体を分離することなく、また規制部材をとり外すことなく確認することができる。これにより、実用上好ましい構成を実現できる。
【００７２】
手段２０．複数のボックス構成体（表側構成体１０１、裏側構成体１０２）により形成された基板ボックス（基板ボックス９２）と、当該基板ボックス内に収容された制御基板（主制御基板９１）と、を有する制御基板装置（主制御装置６３）を備え、
前記複数のボックス構成体として第１構成体（裏側構成体１０２）及び第２構成体（表側構成体１０１）を備え、
前記基板ボックスの内部空間が開放されないように前記第１構成体及び前記第２構成体を固定する固定具（第１結合具１８１，第２結合具１８３）を有する構成体固定手段（表側結合領域１４１，裏側結合領域１５１）を備えた遊技機の製造方法であって、
前記構成体固定手段を構成し、前記固定具が離脱不可又は離脱困難な状態で装着される受け部材（受け部材１５３）を、前記第１構成体に設けられた設置部（結合領域形成部１５２）に対してその外部から設置する第１工程と、
前記固定具の前記受け部材に対する装着を許容する規制部材（カバー部材１５４）を、前記設置部からの前記受け部材の取り外しを規制するように当該受け部材の取り外し軌道上に配置する第２工程と、
前記規制部材を前記第１構成体に固定する固定部（破断ネジ１７０における連結部分１７０ｂを含んだネジ部位）を有するとともに当該固定部に連続させて設けられ着脱操作を可能とする操作部（破断ネジ１７０の頭部１７０ａ）を有する規制部材固定手段を用いて、前記規制部材を前記第１構成体に固定する第３工程と、
前記規制部材を前記第１構成体に対して固定している前記規制部材固定手段から前記操作部を分離する第４工程と、
前記第２構成体に設けられた規制部（遮蔽部１８０）が前記固定部の取り外し軌道上に重なるように、前記第１構成体及び前記第２構成体を組み合わせる第５工程と
を有し、
前記第４工程にて前記操作部が分離されることにより、前記第５工程における前記規制部材固定手段と前記規制部との干渉が回避され、前記第１構成体及び前記第２構成体の組み合わせが許容されることを特徴とする遊技機の製造工程。
【００７３】
手段２０によれば、規制部材固定手段が正常に装着されていない状態、すなわち規制部材固定手段の操作部が分離されていない状態においては、操作部と規制部とが干渉することにより第１構成体及び第２構成体の組み合わせ作業が妨げられる。換言すれば、規制部材固定手段の操作部が分離され、当該規制部材の取り外しが制限された状態となることに基づき規制部材固定手段と規制部との干渉が回避され、第１構成体及び第２構成体の組み合わせ作業が許容される。これにより、操作部の取り外し忘れを防止し、規制部材固定手段が正常に装着されることなく両構成体がボックス化されるといった不都合の発生を抑えることができる。
【００７４】
また、このようにして形成された制御基板装置においては、規制部材固定手段の取り外しが、規制部によって妨げられる。故に、規制部材固定手段が不正に取り除かれるといった不都合を生じにくくすることができ、受け部材に対する不正行為の抑制に貢献することができる。
【００７５】
以上詳述したように規制部に規制部材固定手段の取り外し防止機能と誤組み付け防止機能とを付与することにより、当該規制部の多機能化を図ることができ、実用上好ましい構成を実現することができる。
【００７６】
なお、上述した手段２乃至手段１９に示す技術的思想を本手段に適用してもよい。
【００７７】
以下に、本明細書の開示範囲において抽出可能な技術的思想を記載する。
【００７８】
（１）．複数のボックス構成体（表側構成体１０１、裏側構成体１０２）により形成された基板ボックス（基板ボックス９２）と、当該基板ボックス内に収容された制御基板（主制御基板９１）と、を有する制御基板装置（主制御装置６３）を備えた遊技機において、
前記複数のボックス構成体として第１構成体（裏側構成体１０２）と第２構成体（表側構成体１０１）とを備え、
前記第１構成体に設けられているとともに当該第１構成体よりも高強度に形成された受け部材（受け部材１５３）に対して離脱不可又は離脱困難な状態で固定具（結合具１８１）が固定されることにより、前記基板ボックスの内部空間が開放されないように前記第１構成体及び前記第２構成体を固定する固定手段（表側結合領域１４１、裏側結合領域１５１）を備え、
当該固定手段は、それぞれ個別に固定状態を構成する第１固定手段（１組の表側結合部１４２と裏側結合部１７６）及び第２固定手段（他の１組の表側結合部１４２と裏側結合部１７６）を有し、
前記受け部材は、少なくとも前記第１固定手段及び前記第２固定手段の両方に跨って設けられた部材であることを特徴とする遊技機。
【００７９】
（１）によれば、第１構成体よりも高強度の受け部材に対して固定具が固定されることで第１構成体と第２構成体との固定が行われるため、受け部材と固定具との固定箇所を破壊して当該固定を解除しようとしてもそれが行いづらくなる。この場合に、受け部材は、少なくとも第１固定手段及び第２固定手段の両方に跨って設けられた部材であるため、第１固定手段及び第２固定手段のそれぞれに対して個別に受け部材を設置する構成に比べ、基板ボックスの形成作業を良好に行うことができる。また、第１固定手段及び第２固定手段のそれぞれに対して個別に受け部材を設置する構成に比べ、受け部材に関して部材点数の削減を図ることが可能となる。また、本構成では、所定の領域に跨って高強度の受け部材が位置することとなり、基板ボックスを補強する効果や基板ボックスの周壁部を破壊して内部空間へ通じる開口を不正に形成しようとする行為を抑制する効果を得ることも可能となる。
【００８０】
なお、「離脱不可又は離脱困難な状態で固定具が固定される」とは、受け部材に対して離脱不可又は離脱困難となった状態が保持されることをいい、遊びのない状態で固定具が配置されている構成又は遊びのある状態で固定具が配置されている構成のいずれであってもよい。
【００８１】
また、「前記第１構成体及び前記第２構成体を固定する」とは、第１構成体及び第２構成体の分離が規制されていることをいい、遊びのない状態で第１構成体及び第２構成体が組み合わされている構成又は遊びのある状態で第１構成体及び第２構成体が組み合わされている構成のいずれであってもよい。
【００８２】
また、固定手段とは別の固定手段を備えていてもよく、当該別の固定手段は第２構成体に設けられた受け部材に対して固定具が固定されることにより、前記基板ボックスの内部空間が開放されないように前記第１構成体及び前記第２構成体を固定する構成としてもよい。
【００８３】
（２）．（１）において、前記基板ボックスは、前記制御基板の一方の板面と対向する側に配置される表面部（膨出部１０４等）と、前記制御基板の他方の板面と対向する側に配置される裏面部（平面部１０５等）と、これら表面部及び裏面部間に設けられ、前記基板ボックスの周面を規定するようにコーナー部分を通じて連結された複数の周面部（表側周縁部１０３、裏側周縁部１０６等）と、を備えており、
前記受け部材は、前記複数の周面部のうち少なくとも所定の周面部（周面部のうち一の短辺部）における前記コーナー部分間の全体又は略全体に亘って位置するように設けられていることを特徴とする遊技機。
【００８４】
（２）によれば、基板ボックスにおける複数の周面部のうち少なくとも所定の周面部におけるコーナー部分間の全体又は略全体に亘って、第１構成体よりも高強度の受け部材が設けられていることにより、所定の周面部を破壊して基板ボックスの内部空間へ通じる開口を不正に形成しようとする行為を阻止することが可能となる。また、固定手段を構成する受け部材により当該不正行為の阻止を可能とする機能が果たされるため、受け部材の多機能化が図られる。
【００８５】
なお、（２）の構成を、「前記基板ボックスは正面視で多角形状に形成されており、前記受け部材は、前記所定の一辺の全体又は略全体に亘って位置するように設けられている」としてもよい。
【００８６】
（３）．（２）において、前記所定の周面部に、前記第１固定手段及び前記第２固定手段が設けられており、
前記受け部材は、前記所定の周面部の範囲内に設けられていることを特徴とする遊技機。
【００８７】
（３）によれば、受け部材は所定の周面部の範囲内に設けられているため、複数の周面部に亘って受け部材が設けられる構成に比べ、受け部材の構成の複雑化が抑えられる。
【００８８】
（４）．（２）又は（３）において、前記受け部材は、相互に対向する一対の対向板部（対向板部１６４，１６５）により少なくとも一部が規定されて形成された一連の溝部（凹み空間１６１）を備えているとともに、当該溝部内において前記固定具を係止する係止部（係止部１５８）を少なくとも前記第１固定手段及び前記第２固定手段に対応させて備えており、前記受け部材に対する前記固定具の係止は前記溝部内において行われるものであり、
前記一対の対向板部は、少なくとも前記所定の周面部における前記コーナー部分間の全体又は略全体に亘って位置するように設けられていることを特徴とする遊技機。
【００８９】
（４）によれば、溝部内に複数の係止部が形成されており、固定具との係止は溝部内において行われる。つまり、固定具の係止箇所は、第１構成体よりも高強度の受け部材により規定された溝部内において行われる。よって、当該係止箇所の周囲を破壊して、係止状態を解除しようとしてもそれが行いづらくなり、かかる不正行為を阻止することが可能となる。また、一連の溝部内に少なくとも第１固定手段及び第２固定手段に対応した係止部を設けるという比較的簡素な構成により、少なくとも第１固定手段及び第２固定手段について上記優れた効果を得ることができる。
【００９０】
また、本構成においては、溝部を形成する一対の対向板部が、少なくとも所定の周面部におけるコーナー部分間の全体又は略全体に亘って位置するように設けられている。したがって、一の板部が設けられた構成に比べ、所定の周面部の強度が高められ、当該所定の周面部を破壊して基板ボックスの内部空間へ通じる開口を不正に形成しようとする行為を阻止することが可能となる。
【００９１】
（５）．（１）乃至（３）のいずれか１において、前記受け部材は、一連の溝部（凹み空間１６１）を備えているとともに、当該溝部内において前記固定具を係止する係止部（係止部１５８）を少なくとも前記第１固定手段及び前記第２固定手段に対応させて備えており、前記受け部材に対する前記固定具の係止は前記溝部内において行われることを特徴とする遊技機。
【００９２】
（５）によれば、溝部内に複数の係止部が形成されており、固定具との係止は溝部内において行われる。つまり、固定具の係止箇所は、第１構成体よりも高強度の受け部材により規定された溝部内において行われる。よって、当該係止箇所の周囲を破壊して、係止状態を解除しようとしてもそれが行いづらくなり、かかる不正行為を阻止することが可能となる。また、一連の溝部内に少なくとも第１固定手段及び第２固定手段に対応した係止部を設けるという比較的簡素な構成により、少なくとも第１固定手段及び第２固定手段について上記優れた効果を得ることができる。
【００９３】
（６）．（４）又は（５）において、前記第１固定手段及び前記第２固定手段はそれぞれ、前記第１構成体に設けられた第１構成体側固定部（裏側結合部１７６）と、前記第２構成体に設けられた第２構成体側固定部（表側結合部１４２）と、を備えており、対応する第１構成体側固定部及び第２構成体側固定部の組み合わせに対して前記固定具が挿通され、当該固定具が前記受け部材の前記係止部にて係止されることで前記第１構成体及び前記第２構成体が固定される構成であり、
前記第１構成体には、前記受け部材の溝部の入口を複数の開口（貫通孔部１７４）に区画し、少なくとも前記第１固定手段及び前記第２固定手段のそれぞれの前記第１構成体側固定部を形成するカバー部材（カバー部材１５４）が設けられていることを特徴とする遊技機。
【００９４】
（６）によれば、第１構成体よりも高強度の受け部材において溝部の入口を複数の開口に区画する部位が設けられていなくても、当該区画する機能がカバー部材により果たされる。これにより、受け部材の形状をシンプルなものとすることが可能となる。また、例えば受け部材を金属製とするとともにカバー部材を合成樹脂製とした場合、第１構成体側固定部において複雑な形状を有する部位については合成樹脂製のカバー部材を用いて形成するとともに、固定具を係止する部位については金属製の受け部材を用いて形成することで、第１固定手段及び第２固定手段の各第１構成体側固定部の一体的な形成を良好に行うことができる。
【００９５】
（７）．（６）において、前記カバー部材は、前記第１構成体及び前記第２構成体を相互に組み付ける際に、前記第１構成体側固定部に対して対応する前記第２構成体側固定部が配置され、これら両固定部に前記固定具を挿通することが可能な状態となるように、前記第２構成体側固定部を所定の位置にガイドするガイド部（区画壁部１７５）を備えていることを特徴とする遊技機。
【００９６】
（７）によれば、カバー部材にガイド部が形成されていることにより、第１構成体側固定部への対応する第２構成体側固定部の配置を良好に行うことができる。また、本構成によれば、溝部の入口を複数の開口に区画する機能を有するカバー部材においてガイド部としての機能が果たされるため、カバー部材の多機能化が図られる。
【００９７】
（８）．（６）又は（７）において、前記受け部材は、前記第１構成体に設けられた設置部（結合領域形成部１５２）に対してその外部から設置されているとともに、当該設置部に対して固定されており、
前記カバー部材は、少なくとも前記設置部に対する前記受け部材の固定箇所を覆うようにして設けられていることを特徴とする遊技機。
【００９８】
（８）によれば、受け部材は第１構成体に設けられた設置部に対してその外部から設置される構成である。つまり、受け部材は完成後の第１構成体に対して設置されるものである。第１構成体の形成に際して受け部材をインサート成型する構成も考えられるが、この場合、金型の複雑化等を招くこととなり好ましくない。これに対して、完成後の第１構成体に対して受け部材を設置する構成とすることにより、このような不都合の発生が抑えられる。
【００９９】
また、設置部に対する受け部材の固定箇所はカバー部材により覆われているため、完成後の第１構成体に受け部材を設置するようにした構成において、第１構成体に対する受け部材の固定状態を不正に解除しようとする行為を行いづらくすることが可能となる。また、本構成によれば、溝部の入口を複数の開口に区画する機能を有するカバー部材において、設置部に対する受け部材の固定箇所を覆う機能が果たされるため、カバー部材の多機能化が図られる。
【０１００】
（９）．（４）又は（５）において、前記受け部材は、前記第１構成体に設けられた設置部（結合領域形成部１５２）に対してその外部から設置されているとともに、当該設置部に対して固定されており、
少なくとも前記設置部に対する前記受け部材の固定箇所を覆うようにして設けられたカバー部材（カバー部材１５４）を備えていることを特徴とする遊技機。
【０１０１】
（９）によれば、受け部材は第１構成体に設けられた設置部に対してその外部から設置される構成である。つまり、受け部材は完成後の第１構成体に対して設置されるものである。第１構成体の形成に際して受け部材をインサート成型する構成も考えられるが、この場合、金型の複雑化等を招くこととなり好ましくない。これに対して、完成後の第１構成体に対して受け部材を設置する構成とすることにより、このような不都合の発生が抑えられる。また、設置部に対する受け部材の固定箇所はカバー部材により覆われているため、完成後の第１構成体に受け部材を設置するようにした構成において、第１構成体に対する受け部材の固定状態を不正に解除しようとする行為を行いづらくすることが可能となる。
【０１０２】
（１０）．（６）乃至（９）のいずれか１において、前記カバー部材は前記第１構成体及び前記第２構成体に挟まれて設置箇所に固定されていることを特徴とする遊技機。
【０１０３】
（１０）によれば、カバー部材は第１構成体及び第２構成体に挟まれてその設置箇所に固定されるため、カバー部材を第１構成体に固定するための専用の固定具などを設けなくてもカバー部材の固定を行うことができる。よって、カバー部材の固定に関して、構成の簡素化を図りつつ、カバー部材の設置箇所への固定を行うことができる。
【０１０４】
（１１）．（６）乃至（１０）のいずれか１において、前記カバー部材は、少なくとも前記第１固定手段又は前記第２固定手段を固定状態とすることで、設置箇所に固定されることを特徴とする遊技機。
【０１０５】
（１１）によれば、カバー部材は第１固定手段又は第２固定手段を固定状態とすることで、その設置箇所に固定されるため、カバー部材を第１構成体に固定するための専用の固定具などを設けてなくてもカバー部材の固定を行うことができる。よって、カバー部材の固定に関して、構成の簡素化を図りつつ、カバー部材の設置箇所への固定を行うことができる。
【０１０６】
なお、本手段のより具体的な構成としては、前記カバー部材は、前記固定具を用いた固定状態が維持されている場合には、当該カバー部材の設置箇所への固定状態が維持される構成とするとよい。
【０１０７】
（１２）．（１１）において、前記固定手段は、前記固定具を用いた固定状態を解除して前記第１構成体と前記第２構成体とを分離する場合よりも当該分離が行い易いように破壊し易く形成された解除部（例えば連結部１４５）を備えており、当該解除部が破壊されることで前記固定具を用いた固定状態を維持しながら前記第１構成体と前記第２構成体との分離を可能とするものであり、
前記解除部は、前記第１構成体において前記固定手段を構成する第１構成体側固定部及び前記第２構成体において前記固定手段を構成する第２構成体側固定部のうち第２構成体側固定部に対して設けられていることを特徴とする遊技機。
【０１０８】
（１２）によれば、解除部を破壊することで、固定具を用いた固定状態を維持しながら第１構成体と第２構成体との分離を可能とする構成であるため、固定具を用いた固定を強固に行うようにしつつ、第１構成体と第２構成体との分離に際してその痕跡を残すことが可能となる。
【０１０９】
この場合に、解除部は第２構成体側固定部に対して設けられている。例えば、解除部が第１構成体側固定部に対して設けられている構成を想定すると、解除部を破壊しただけでは第１構成体と第２構成体との分離を行うことができず、さらに受け部材の破壊を要することが想定される。そうすると、第１構成体と第２構成体との分離操作を容易に行うことができない。これに対して、解除部が第１構成体側固定部に対して設けられているため、上記のような不都合が生じることはなく、第１構成体と第２構成体との分離操作を容易に行うことが可能となる。
【０１１０】
また、解除部は第２構成体側固定部に対して設けられているため、例えば第１固定手段及び第２固定手段が固定状態となっていることに伴ってカバー部材の固定が行われている状況において、解除部を破壊して第１構成体と第２構成体とを分離させたとしても、固定具を用いた固定状態は維持され、それに伴ってカバー部材が固定された状態が維持される。よって、固定具を介したカバー部材の固定状態を良好に維持することができる。
【０１１１】
（１３）．（１１）において、前記固定手段は、前記固定具を用いた固定状態を解除して前記第１構成体と前記第２構成体とを分離する場合よりも当該分離が行い易いように破壊し易く形成された解除部（例えば連結部１４５）を備えており、当該解除部が破壊されることで前記固定具を用いた固定状態を維持しながら前記第１構成体と前記第２構成体との分離を可能とするものであり、
前記解除部は、前記第１構成体において前記固定手段を構成する第１構成体側固定部及び前記第２構成体において前記固定手段を構成する第２構成体側固定部のうち第２構成体側固定部に対して設けられているとともに、前記第１固定手段及び前記第２固定手段に対して個別に設けられていることを特徴とする遊技機。
【０１１２】
（１３）によれば、解除部を破壊することで、固定具を用いた固定状態を維持しながら第１構成体と第２構成体との分離を可能とする構成であるため、固定具を用いた固定を強固に行うようにしつつ、第１構成体と第２構成体との分離に際してその痕跡を残すことが可能となる。
【０１１３】
この場合に、解除部は第２構成体側固定部に対して設けられている。例えば、解除部が第１構成体側固定部に対して設けられている構成を想定すると、解除部を破壊しただけでは第１構成体と第２構成体との分離を行うことができず、さらに受け部材の破壊を要することが想定される。そうすると、第１構成体と第２構成体との分離操作を容易に行うことができない。これに対して、解除部が第１構成体側固定部に対して設けられているため、上記のような不都合が生じることはなく、第１構成体と第２構成体との分離操作を容易に行うことが可能となる。
【０１１４】
また、解除部は第２構成体側固定部に対して設けられているとともに、第１固定手段及び第２固定手段に対して個別に設けられている。これにより、例えば第１固定手段が固定状態となっていることに伴ってカバー部材の固定が行われている状況において、当該第１固定手段に対応した解除部を破壊して第１構成体と第２構成体とを分離させたとしても、第１固定手段について固定具を用いた固定状態は維持され、それに伴ってカバー部材が固定された状態が維持される。よって、固定具を介したカバー部材の固定状態を良好に維持することができる。
【０１１５】
（１４）．（１０）乃至（１３）のいずれか１において、前記第２構成体に前記制御基板が固定されており、
前記カバー部材には、前記基板ボックスの内部空間に入り込むように設けられ、前記制御基板及び前記第１構成体により挟持される被挟持部（受け板部１８５）が形成されていることを特徴とする遊技機。
【０１１６】
（１４）によれば、カバー部材は制御基板及び第１構成体により挟持される入り込み部を有しているため、カバー部材について専用の固定具を設けなくても、カバー部材を安定した状態で設置箇所に保持させることができる。
【０１１７】
なお、以下の各項における特徴的な構成を上記（１）乃至（１４）の構成に代えて適用してもよく、上記（１）乃至（１４）の構成に対して加えてもよい。
【０１１８】
（１５）．複数のボックス構成体（表側構成体１０１、裏側構成体１０２）により形成された基板ボックス（基板ボックス９２）と、当該基板ボックスの内部空間に収容された制御基板（主制御基板９１）と、を有する制御基板装置（主制御装置６３）を備え、
前記複数のボックス構成体として、前記制御基板を挟んで対向する領域（膨出部１０４、平面部１０５）を有するとともに前記基板ボックスの周縁において境界が生じるように組み合わされた第１構成体（裏側構成体１０２）と第２構成体（表側構成体１０１）とを備え、
前記第１構成体及び前記第２構成体のうち一方には、他方の構成体に向けて突出するように形成されるとともに、その少なくとも一部において係止部（フック部１１１）が形成された第１周壁部（表側周縁部１０３）が設けられており、
前記第１構成体及び前記第２構成体のうち他方には、前記係止部と係止状態となることで、前記境界を広げる方向への前記第１構成体及び前記第２構成体の分離を規制する係止受け部（受け部１２８）が形成された第２周壁部（裏側周縁部１０６）が設けられており、
前記第１周壁部における前記基板ボックスの内側の面において前記基板ボックスの内部空間を規定する周面の一部が構成されていることを特徴とする遊技機。
【０１１９】
（１５）によれば、係止部と係止受け部とが係止状態となることで、第１構成体と第２構成体との境界を広げようとしても、それが物理的に抑制される。これにより、当該不正行為を好適に抑制することが可能となる。
【０１２０】
この場合に、第１周壁部の内側の面において基板ボックスの内部空間を規定する周面の一部が構成されている。例えば、第２周壁部を基板ボックスの内部空間側において第１周壁部の全体と重なり合うように設ける構成が考えられるが、そうすると基板ボックスの内部空間がそれだけ縮小され、上記構成と同じ程度の内部空間を確保しようとすると、上記構成よりも基板ボックスを大型化する必要がある。これに対して本構成によれば、基板ボックスの小型化を図りつつ、上記不正行為を抑制することが可能となる。
【０１２１】
なお、前記係止部を前記第１周壁部に沿って複数並設するとともに、前記係止受け部を前記係止部に対応させて前記第２周壁部に沿って複数並設するようにしてもよい。この場合、第１構成体と第２構成体との境界を広げようとする行為をより強固に抑制することが可能となる。
【０１２２】
（１６）．（１５）において、前記第１周壁部は、当該第１周壁部に沿って形成された突条部（枠部１１２）を備えているとともに、当該突条部から前記他方の構成体に向けて突出するように前記係止部が形成されており、
前記第２周壁部は、前記一方の構成体に向けて突出するとともに、前記突条部に沿うようにして形成され、さらに前記係止部と前記係止受け部との係止箇所を前記基板ボックスの内部空間側及び前記基板ボックスの外側において囲む囲み部（周壁部１２２，１２３、台座部１２４，１２５）を有しており、
前記係止部が前記囲み部内に挿通された状態において、前記突条部の少なくとも前記係止部側とは反対側が前記囲み部の外方に位置しており、
前記突条部における前記基板ボックスの内側の面及び前記囲み部における前記基板ボックスの内側の面により、前記基板ボックスの内部空間を規定する周面の一部が構成されていることを特徴とする遊技機。
【０１２３】
（１６）によれば、係止部と係止受け部との係止箇所を基板ボックスの内部空間側及び基板ボックスの外側において囲む囲み部が設けられていることにより、係止部と係止受け部との係止状態を不正に解除しようとする行為がそれだけ行いづらくなり、当該不正行為を阻止することが可能となる。この場合に、突条部の内側の面及び囲み部の内側の面により、基板ボックスの内部空間を規定する周面の一部が構成されているため、上記のように係止部と係止受け部との係止状態を不正に解除しようとする行為を阻止可能とした構成において、基板ボックスの小型化が図られる。
【０１２４】
（１７）．（１６）において、前記突条部におけるその突出方向の先端部は、前記囲み部における前記係止部の挿入口が形成された部位（台座部１２４，１２５）と重なっていることを特徴とする遊技機。
【０１２５】
上記（１６）を備え、突条部の内側の面により基板ボックスの内部空間を規定する周面の一部を構成するようにした場合、突条部と囲み部との間から基板ボックスの内部空間にリード線などの不正用治具が挿入されてしまうことが想定される。これに対して、突条部におけるその突出方向の先端部は囲み部における係止部の挿入口が形成された部位と重なっているため、突条部と囲み部との間から基板ボックスの内部空間に不正用治具を挿入しようとする行為を阻止することが可能となる。
【０１２６】
（１８）．（１７）において、前記囲み部における外側の壁部（周壁部１２２，１２３）は、前記突出部の先端部と前記囲み部の前記挿入口が形成された部位との境界を、前記突条部よりも基板ボックス外側において跨ぐように前記一方の構成体に向けて延出させて形成されていることを特徴とする遊技機。
【０１２７】
（１８）によれば、突条部の先端部と囲み部の挿入口が形成された部位との境界は、囲み部における外側の壁部により塞がれるため、当該境界を通じて基板ボックスの内部空間に不正用治具を挿入しようとしてもそれが行いづらくなる。
【０１２８】
（１９）．（１６）乃至（１８）のいずれか１において、前記突条部の内側の面に対して前記囲み部の内側の面は、前記基板ボックスの内部空間側に位置しており、
前記制御基板はその周縁部の一部が、前記突条部の内側の面と前記囲み部の内側の面との間の段差領域内に入り込むように配置されていることを特徴とする遊技機。
【０１２９】
（１９）によれば、突条部の内側の面と囲み部の内側の面との間の段差領域内に制御基板の周縁部の一部が入り込んでいるため、当該領域を有効活用することができる。
【０１３０】
（２０）．（１５）乃至（１９）のいずれか１において、前記第１構成体における前記対向する領域は前記制御基板の一方の板面と対向しているとともに、前記第２構成体における前記対向する領域は前記制御基板の他方の板面と対向しており、
これら第１構成体及び第２構成体を組み合わせることにより、前記基板ボックスは相互に対向する一対の周縁部を備えており、
前記第１周壁部及び前記第２周壁部の組み合わせは、前記一対の周縁部の両方に対して設けられていることを特徴とする遊技機。
【０１３１】
（２０）によれば、一対の周縁部の両方において、第１構成体と第２構成体との境界を広げようとする行為を行いづらくすることが可能となる。また、このように一対の周縁部において係止部と係止受け部とが設けられた構成においてはそれだけ基板ボックスの大型化が懸念されるが、当該一対の周縁部の両方において、第１周壁部の内側の面が基板ボックスの内部空間を規定する周面の一部を構成しているため、基板ボックスの小型化を図ることが可能となる。
【０１３２】
以下に、以上の各手段を適用し得る各種遊技機の基本構成を示す。
【０１３３】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【０１３４】
スロットマシン等の回胴式遊技機：複数の絵柄を可変表示させる絵柄表示装置を備え、始動操作手段の操作に起因して前記複数の絵柄の可変表示が開始され、停止操作手段の操作に起因して又は所定時間経過することにより前記複数の絵柄の可変表示が停止され、その停止後の絵柄に応じて遊技者に特典を付与する遊技機。
【０１３５】
以下、遊技機の一種であるパチンコ遊技機（以下、「パチンコ機」という）の一実施の形態を、図面に基づいて詳細に説明する。図１はパチンコ機１０を前方から見た斜視図、図２はパチンコ機１０における遊技機本体１２の分解斜視図である。なお、図２では便宜上パチンコ機１０の遊技領域内の構成を省略している。
【０１３６】
パチンコ機１０は、当該パチンコ機１０の外殻を形成する外枠１１と、この外枠１１に対して前方に回動可能（開閉可能）に取り付けられた遊技機本体１２とを有している。なお、パチンコ機１０において外枠１１は必須の構成ではなく、遊技場の島設備に外枠１１が備え付けられた構成としてもよい。
【０１３７】
外枠１１は、矩形枠状をなしており、上下の枠が木製であり、左右の枠がアルミニウム等の金属によって形成されている。パチンコ機１０は、外枠１１を島設備に取り付け固定することにより、遊技場に設置される。なお、外枠１１を形成する材料は上記のものに限定されることはなく任意である。
【０１３８】
外枠１１の一側部に遊技機本体１２が回動可能に支持されている。具体的には、図１に示すように、外枠１１における上枠部と左枠部との連結部分に上側支持用金具２１が固定されており、さらに外枠１１における下枠部と左枠部との連結部分に下側支持用金具２２が設けられている。これら上側支持用金具２１及び下側支持用金具２２により支持機構が構成され、当該支持機構によって外枠１１に対して遊技機本体１２が回動可能に支持されている。
【０１３９】
また、遊技機本体１２には、図２に示すように、その回動先端部に施錠装置２３が設けられており、遊技機本体１２を外枠１１に対して閉鎖状態とした場合には施錠装置２３の鉤部材２４が外枠１１の右枠部の内側面に設けられた鉤受け部にて受けられ、遊技機本体１２の開放が阻止される。一方、パチンコ機１０前面にて露出させて設けられたシリンダ錠２５に対して解錠キーを用いて解錠操作を行うことにより、外枠１１の鉤受け部にて鉤部材２４が受けられた状態が解除され、遊技機本体１２の外枠１１からの開放が可能となる。なお、施錠装置２３は、後述する内枠１３と前扉枠１４との施錠を行う機能も有している。
【０１４０】
遊技機本体１２は、ベース体としての内枠１３と、その内枠１３の前方に配置される前扉枠１４と、内枠１３の後方に配置される裏パックユニット１５とを備えている。遊技機本体１２のうち内枠１３が外枠１１に対して回動可能（開閉可能）に支持されている。詳細には、正面視で左側を回動基端側（開閉基端側）とし右側を回動先端側（開閉先端側）として内枠１３が前方へ回動可能とされている。
【０１４１】
内枠１３には、前扉枠１４が回動可能（開閉可能）に支持されており、正面視で左側を回動基端側（開閉基端側）とし右側を回動先端側（開閉先端側）として前方へ回動可能とされている。また、内枠１３には、裏パックユニット１５が回動可能（開閉可能）に支持されており、正面視で左側を回動基端側（開閉基端側）とし右側を回動先端側（開閉先端側）として後方へ回動可能とされている。
【０１４２】
次に、遊技機本体１２の前面側の構成について説明する。図３は内枠１３の正面図である。
【０１４３】
内枠１３は、外形が外枠１１とほぼ同一形状をなす樹脂ベース３１を主体に構成されている。樹脂ベース３１の中央部には略楕円形状の窓孔３２が形成されている。樹脂ベース３１には遊技盤３３が着脱可能に取り付けられている。遊技盤３３は合板よりなり、遊技盤３３の前面に形成された遊技領域が樹脂ベース３１の窓孔３２を通じて内枠１３の前面側に露出した状態となっている。
【０１４４】
ここで、遊技盤３３の構成を図４に基づいて説明する。遊技盤３３には、ルータ加工が施されることによって前後方向に貫通する大小複数の開口部が形成されている。各開口部には一般入賞口３４，可変入賞装置３５，作動口３６，スルーゲート３７及び可変表示ユニット３８等がそれぞれ設けられている。一般入賞口３４は、左右にそれぞれ２個ずつ合計４個設けられている。一般入賞口３４、可変入賞装置３５及び作動口３６に遊技球が入ると、それが後述する検知スイッチにより検知され、その検知結果に基づいて所定数の賞球の払い出しが実行される。その他に、遊技盤３３の最下部にはアウト口３９が設けられており、各種入賞口等に入らなかった遊技球はアウト口３９を通って遊技領域から排出される。また、遊技盤３３には、遊技球の落下方向を適宜分散、調整等するために多数の釘４０が植設されていると共に、風車等の各種部材（役物）が配設されている。
【０１４５】
可変表示ユニット３８には、作動口３６への入賞をトリガとして図柄を可変表示する図柄表示装置４１が設けられている。また、可変表示ユニット３８には、図柄表示装置４１を囲むようにしてセンターフレーム４２が配設されている。センターフレーム４２の上部には、第１特定ランプ部４３及び第２特定ランプ部４４が設けられている。また、センターフレーム４２の下部及び上部にはそれぞれ保留ランプ部４５，４６が設けられている。下側の保留ランプ部４５は図柄表示装置４１及び第１特定ランプ部４３に対応しており、遊技球が作動口３６を通過した回数は最大４回まで保留され保留ランプ部４５の点灯によってその保留個数が表示されるようになっている。上側の保留ランプ部４６は第２特定ランプ部４４に対応しており、遊技球がスルーゲート３７を通過した回数は最大４回まで保留され保留ランプ部４６の点灯によってその保留個数が表示されるようになっている。
【０１４６】
図柄表示装置４１は、液晶ディスプレイを備えた液晶表示装置として構成されており、表示制御装置により表示内容が制御される。図柄表示装置４１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【０１４７】
第１特定ランプ部４３では、作動口３６への入賞をトリガとして所定の順序で発光色の切り替えが行われ、予め定められた色で停止表示された場合には大当たりが発生する。また、第２特定ランプ部４４では、遊技球のスルーゲート３７の通過をトリガとして所定の順序で発光色の切り替えが行われ、予め定められた色で停止表示された場合には作動口３６に付随する電動役物が所定時間だけ開放状態となる。なお、これら第１特定ランプ部４３及び第２特定ランプ部４４の制御は、後述する主制御装置により行われる。
【０１４８】
可変入賞装置３５は、通常は遊技球が入賞できない又は入賞し難い閉状態になっており、大当たりの際に遊技球が入賞しやすい所定の開放状態に切り換えられるようになっている。可変入賞装置３５の開放態様としては、所定時間（例えば３０秒間）の経過又は所定個数（例えば１０個）の入賞を１ラウンドとして、複数ラウンド（例えば１５ラウンド）を上限として可変入賞装置３５が繰り返し開放されるものが一般的である。なお、可変入賞装置３５の駆動制御は、後述する主制御装置により行われる。
【０１４９】
遊技盤３３には、内レール部４７と外レール部４８とが取り付けられており、これら内レール部４７と外レール部４８とにより誘導レールが構成され、遊技球発射機構５０から発射された遊技球が遊技領域の上部に案内されるようになっている。
【０１５０】
遊技球発射機構５０は、図３に示すように、樹脂ベース３１における窓孔３２の下方に取り付けられている。遊技球発射機構５０は、電磁式のソレノイド５１と、発射レール５２と、球送り機構５３とからなり、ソレノイド５１への電気的な信号の入力により当該ソレノイド５１の出力軸が伸縮方向に移動し、球送り機構５３によって発射レール５２上に置かれた遊技球を遊技領域に向けて打ち出す。
【０１５１】
内枠１３の前面側全体を覆うようにして前扉枠１４が設けられている。前扉枠１４には、図１等に示すように、遊技領域のほぼ全域を前方から視認することができるようにした窓部５５が形成されている。窓部５５は、略楕円形状をなし、透明性を有するガラス５６が嵌め込まれている。窓部５５の周囲には、各種ランプ等の発光手段が設けられている。また、左上及び右上の位置には、遊技状態に応じた効果音などが出力されるスピーカ部が設けられている。
【０１５２】
前扉枠１４における窓部５５の下方には、手前側へ膨出した上側膨出部５７と下側膨出部５８とが上下に並設されている。上側膨出部５７内側には上方に開口した上皿５７ａが設けられており、下側膨出部５８内側には同じく上方に開口した下皿５８ａが設けられている。上皿５７ａは、後述する払出装置より払い出された遊技球を一旦貯留し、一列に整列させながら後述する遊技球発射機構側へ導くための機能を有する。また、下皿５８ａは、上皿５７ａ内にて余剰となった遊技球を貯留する機能を有する。
【０１５３】
下側膨出部５８の右方には、手前側へ突出するようにしてハンドル装置５９が設けられている。ハンドル装置５９が操作されることにより、遊技球発射機構から遊技球が発射される。
【０１５４】
次に、遊技機本体１２の背面側の構成について説明する。図５は内枠１３の背面図、図６は裏パックユニット１５の正面図である。
【０１５５】
図５に示すように、内枠１３（遊技盤３３）の背面には、主制御装置ユニット６１及び音声ランプ制御装置ユニット６５が搭載されている。
【０１５６】
主制御装置ユニット６１は、合成樹脂製の取付台を有し、取付台に主制御装置６３が搭載されている。主制御装置６３は、遊技の主たる制御を司る機能（主制御回路）と、電源を監視する機能（停電監視回路）とを有する主制御基板を具備している。なお、主制御装置６３の具体的な構成については、後に詳細に説明する。
【０１５７】
音声ランプ制御装置ユニット６５は、音声ランプ制御装置６６と、取付台とを具備する構成となっており、取付台上に音声ランプ制御装置６６が装着されている。音声ランプ制御装置６６は、主制御装置６３からの指示に従い音声やランプ表示、及び図示しない表示制御装置の制御を司る音声ランプ制御基板を具備しており、音声ランプ制御基板が透明樹脂材料等よりなる基板ボックス６８に収容されて構成されている。
【０１５８】
裏パックユニット１５は、図６に示すように、裏パック７１を備えており、当該裏パック７１に対して、払出機構部７２及び制御装置集合ユニット７３が取り付けられている。裏パック７１は透明性を有する合成樹脂により形成されており、払出機構部７２などが取り付けられるベース部７４と、パチンコ機１０後方に突出し略直方体形状をなす保護カバー部７５とを有する。
【０１５９】
ベース部７４には、その右上部に外部端子板７６が設けられている。外部端子板７６には各種の出力端子が設けられており、これらの出力端子を通じて遊技場側の管理制御装置に対して各種信号が出力される。ベース部７４には、保護カバー部７５を迂回するようにして払出機構部７２が配設されている。すなわち、裏パック７１の最上部には上方に開口したタンク７７が設けられており、タンク７７には遊技場の島設備から供給される遊技球が逐次補給される。タンク７７の下方には、下流側に向けて緩やかに傾斜するタンクレールが連結され、タンクレールの下流側には上下方向に延びるケースレールが連結されている。ケースレールの最下流部には払出装置７８が設けられている。払出装置７８より払い出された遊技球は、当該払出装置７８の下流側に設けられた図示しない払出通路を通じて、上皿５７ａ又は下皿５８ａに排出される。
【０１６０】
払出機構部７２には、裏パック基板７９が設置されている。裏パック基板７９には、例えば交流２４ボルトの主電源が供給され、電源スイッチの切替操作により電源ＯＮ又は電源ＯＦＦとされるようになっている。
【０１６１】
ベース部７４の下端部には、制御装置集合ユニット７３が取り付けられている。制御装置集合ユニット７３は、横長形状をなす取付台８１を有し、取付台８１に払出制御装置８２と電源及び発射制御装置８３とが搭載されている。これら払出制御装置８２と電源及び発射制御装置８３とは、払出制御装置８２がパチンコ機１０後方となるように前後に重ねて配置されている。
【０１６２】
払出制御装置８２は、基板ボックス８４内に払出装置７８を制御する払出制御基板が収容されて構成されている。電源及び発射制御装置８３は、基板ボックス８５内に電源及び発射制御基板が収容されて構成されており、当該基板により、各種制御装置等で要する所定の電力が生成されて出力され、さらに遊技者によるハンドル装置５９の操作に伴う遊技球の打ち出しの制御が行われる。本パチンコ機１０は各種データの記憶保持機能を有しており、万一停電が発生した際でも停電時の状態を保持し、停電からの復帰の際には停電時の状態に復帰できるようになっている。
【０１６３】
次に、主制御装置６３の構成を図７〜図９に基づいて詳細に説明する。図７は主制御装置６３の斜視図、図８は主制御装置６３の正面図、図９は主制御装置６３の分解斜視図である。
【０１６４】
主制御装置６３は、図９に示すように、主制御基板９１と基板ボックス９２とを備えており、当該基板ボックス９２の内部空間に主制御基板９１が収容されてなる。
【０１６５】
主制御基板９１は、主たる制御を司るＣＰＵ、遊技プログラムを記憶したＲＯＭ、遊技の進行に応じた必要なデータを記憶するＲＡＭ等を備えている。本実施の形態では、ＣＰＵ、ＲＯＭ及びＲＡＭがＣＰＵチップ９３に１チップ化されている。また、詳細な説明は省略するが、入出力ドライバ用ＩＣチップ９４及びラッチ用ＩＣチップ９５が搭載されている。また、図示は省略するが、主制御基板９１には、コンデンサや抵抗などの各種素子や、複数のコネクタが搭載されている。
【０１６６】
主制御基板９１においてＣＰＵチップ９３などの各種素子は全て同一の板面上に搭載されており、その逆側の板面にて半田付けされている。つまり、主制御基板９１は、一方の板面が素子搭載面９６となっており、他方の板面が半田面となっている。なお、半田面とは、素子搭載面９６に搭載される各種素子の半田付け部分が設けられる面であるが、当該半田面に対して回路パターンが形成されていてもよい。
【０１６７】
基板ボックス９２は、複数のボックス構成体として、表側構成体（ボックスカバー）１０１と裏側構成体（ボックスベース）１０２とを備えている。これら表側構成体１０１及び裏側構成体１０２は、基板ボックス９２内に収容された主制御基板９１の素子搭載面９６及び半田面を基板ボックス９２外から視認可能なように透明性を有する材料により形成されている。具体的には、無色透明のポリカーボネート樹脂により形成されているが、形成材料はこれに限定されることなく、アクリル樹脂等であってもよい。
【０１６８】
表側構成体１０１及び裏側構成体１０２が組み合わされることにより、図７及び図８に示すように、基板ボックス９２は四角箱状（略直方体形状）に形成されており、所定の内部空間を有している。詳細には、表側構成体１０１は、図９に示すように、当該表側構成体１０１の周縁を規定する表側周縁部１０３と、当該表側周縁部１０３から一方に膨出するようにして形成された膨出部１０４とが一体形成されてなる。これら表側周縁部１０３と膨出部１０４とにより、表側構成体１０１は膨出部１０４の膨出側とは反対側に開放された略直方体形状をなしている。
【０１６９】
表側構成体１０１にはその背面側から主制御基板９１がネジ固定されている（着脱可能な状態で固定されている）。なお、表側構成体１０１への主制御基板９１のネジ固定は、主制御基板９１の半田面側から行われており、主制御基板９１の素子搭載面９６に搭載された各種素子は、主制御基板９１と表側構成体１０１との間の領域内に収容されている。
【０１７０】
主制御基板９１が一体化された表側構成体１０１に対して、裏側構成体１０２が固定されている。裏側構成体１０２は、図９に示すように、正面視で四角形状、具体的には長方形状をなす略板状に形成されており、平面状に形成された平面部１０５と、当該平面部１０５の周縁を囲むようにして形成された裏側周縁部１０６とが一体形成されてなる。
【０１７１】
表側構成体１０１に対してその裏面側から裏側構成体１０２を固定することにより、表側構成体１０１の表側周縁部１０３と裏側構成体１０２の裏側周縁部１０６とが重なり、膨出部１０４の裏面側への開放部分が裏側構成体１０２の平面部１０５により閉塞される。この場合、主制御基板９１の半田面は、裏側構成体１０２により覆われている。つまり、主制御基板９１の素子搭載面９６はその全体が表側構成体１０１と対向しており、主制御基板９１の半田面はその全体が裏側構成体１０２と対向している。上記構成の主制御装置６３は、図５に示すように、表側構成体１０１の表面がパチンコ機１０後方を向くようにして搭載されている。
【０１７２】
次に、表側構成体１０１と裏側構成体１０２との固定に関する構成について詳細に説明する。両構成体１０１，１０２の固定に関する構成としては、両構成体１０１，１０２の相互の位置ずれを特定の規制方向のみに規制する規制手段と、当該規制方向への位置ずれを防止するように両構成体１０１，１０２を相互に固定する固定手段と、を備えている。
【０１７３】
先ず、規制手段について詳細に説明する。なお、以下の規制手段の説明では、図９だけでなく図１０も適宜参照する。図１０（ａ）は主制御装置６３の一部を拡大して示す側面図、図１０（ｂ）は図１０（ａ）のＡ―Ａ線断面図である。
【０１７４】
図９に示すように、規制手段として、表側構成体１０１には、フック部（係止部又は表側規制部）１１１が一体形成されている。フック部１１１は複数設けられており、これらフック部１１１は表側周縁部１０３の対向する各長辺部（具体的には、上縁部及び下縁部）において当該長辺部の延びる方向に沿って等間隔で形成されている。この場合、フック部１１１は、上下にそれぞれ６個ずつ形成されているが、複数であればその数は任意である。各フック部１１１は、全て同一形状となるように形成されているとともに、全て同一のサイズに形成されている。
【０１７５】
フック部１１１の形状について詳細に説明する。表側構成体１０１の表側周縁部１０３は、当該表側周縁部１０３に沿って矩形枠状に形成された枠部１１２を備えている。枠部１１２は表側周縁部１０３において膨出部１０４に連続するベース部１１０から裏側構成体１０２側に起立させて形成されている。この場合、枠部１１２におけるベース部１１０からの突出寸法（高さ寸法）は、主制御基板９１の厚み寸法と同一となっている。なお、枠部１１２におけるベース部１１０からの突出寸法を、主制御基板９１の厚み寸法よりも大きくしてもよい。
【０１７６】
枠部１１２において一の長辺部を構成する上枠部（一の枠部）１１３に複数のフック部１１１が形成されているとともに、当該上枠部１１３と対向した位置にて一の長辺部を構成する下枠部（他の枠部）１１４にも複数のフック部１１１が形成されている。この場合、各フック部１１１の内側の面は形成元の枠部１１２における内側の面と同一平面上に位置しているとともに、各フック部１１１の外側の面は形成元の枠部１１２における外側の面と同一平面上に位置している。
【０１７７】
フック部１１１は枠部１１２を基端として形成されており、自由端側が表側構成体１０１の一方の短辺部側、具体的には、右縁に向けて延びるように途中位置で折り曲げて形成されている。つまり、フック部１１１は枠部１１２から裏側構成体１０２に向けて起立した起立部１１５と、起立部１１５から表側構成体１０１の側縁に向けて延びる延出部１１６とが一体形成されてなる。
【０１７８】
延出部１１６は起立部１１５の高さ寸法分、枠部１１２から離間されており、延出部１１６と枠部１１２との間には係止用溝１１７が形成されている。当該係止用溝１１７は延出部１１６に沿って形成されており、延出部１１６の自由端側において開放されている。
【０１７９】
フック部１１１に対応させて裏側構成体１０２には、係止受け（裏側規制部）１２１が一体形成されている。係止受け１２１の形状について詳細に説明する。裏側構成体１０２の裏側周縁部１０６には、表側構成体１０１の上枠部１１３と対応する辺部に当該辺部の全体に沿って一連の上側周壁部１２２が一体形成されているとともに、表側構成体１０１の下枠部１１４と対応する辺部に当該辺部の全体に沿って一連の下側周壁部１２３が一体形成されている。これら上側周壁部１２２及び下側周壁部１２３は表側構成体１０１に向けて起立している。上側周壁部１２２及び下側周壁部１２３はそれぞれ、裏側構成体１０２の周面（上面及び下面）を構成しているとともに、基板ボックス９２の周面（上面及び下面）を構成している。
【０１８０】
裏側周縁部１０６には、上側周壁部１２２及び下側周壁部１２３にそれぞれ一体形成された上側台座部１２４及び下側台座部１２５を備えている。ここで、上側台座部１２４及び下側台座部１２５は共に同一の構成を有しており、さらに規制手段について基板ボックス９２の上側と下側とで基本的に構成は同一となっているため、下側の構成を例にとって以下説明する。
【０１８１】
下側台座部１２５は、図９に示すように、下側周壁部１２３の内側の壁面から裏側構成体１０２の平面部１０５側に突出させて形成されており、下側周壁部１２３及び平面部１０５の両方に対して一体化されている。下側台座部１２５は下側周壁部１２３の長さ方向（長手方向）の全体又は略全体に亘って形成されている。
【０１８２】
下側台座部１２５は、表側構成体１０１に向けて起立している。但し、その高さ寸法（基板ボックス９２の厚み方向の寸法）は、下側周壁部１２３の高さ寸法よりも小さく設定されている。この点、裏側構成体１０２は、その長辺側の縁部において下側周壁部１２３と下側台座部１２５とにより段差状となっていると言える。
【０１８３】
下側台座部１２５には、フック部１１１と１対１で対応させて係止受け１２１が形成されている。つまり、係止受け１２１は、上下にそれぞれ６個ずつ形成されている。但し、フック部１１１と１対１で対応しているのであれば、その具体的な数は任意である。各係止受け１２１は全て同一の形状及び大きさを有している。
【０１８４】
係止受け１２１は、下側台座部１２５をその高さ方向、すなわち裏側構成体１０２の厚み方向に貫通するスリットとして構成されている。詳細には、係止受け１２１は、裏側構成体１０２において上記のとおり周面を構成する下側周壁部１２３と、下側台座部１２５において平面部１０５との境界部分を構成する内側壁部１２６と、これら下側周壁部１２３及び内側壁部１２６を連結するようにして形成された連結壁部１２７とにより周囲が規定されており、裏側構成体１０２の厚み方向（基板ボックス９２の厚み方向）に貫通している。
【０１８５】
ちなみに、連結壁部１２７は、隣り合う係止受け１２１を区画する機能も有しているとともに、下側台座部１２５において表側構成体１０１（表側構成体１０１の枠部１１２）と対向する対向面を構成している。また、内側壁部１２６は係止受け１２１側からの基板ボックス９２内への侵入経路を遮断するように形成されているとともに、内側壁部１２６は基板ボックス９２の内部空間の周面を構成している。
【０１８６】
係止受け１２１の幅寸法、すなわち下側周壁部１２３と内側壁部１２６との間の距離は、フック部１１１の厚み寸法と同一又はそれよりも若干大きく設定されている。また、係止受け１２１の長さ寸法、すなわち対向する連結壁部１２７間の距離は、延出部１１６の長さ寸法よりも大きく設定されている。
【０１８７】
係止受け１２１は、図１０（ａ）に示すように、一方の連結壁部１２７側において、スリット状の当該係止受け１２１を閉塞する受け部１２８を備えている。この受け部１２８が形成された側の連結壁部１２７は、一の係止受け１２１における両連結壁部１２７のうち、フック部１１１の自由端側に対応した側となっている。
【０１８８】
受け部１２８は、係止受け１２１において表側構成体１０１側の端部に形成されている。また、受け部１２８は、スリット状の係止受け１２１の全体を閉塞しているのではなく、一部のみを閉塞している。そして、係止受け１２１において受け部１２８が形成されていない側の連結壁部１２７から受け部１２８までの距離は、フック部１１１の延出部１１６が延びる方向の長さ寸法よりも大きくなっている。これにより、上記のように受け部１２８が形成された構成において、裏側構成体１０２の表側からフック部１１１を係止受け１２１内に挿入可能となっている。受け部１２８は、上記フック部１１１の係止用溝１１７内に入り込み可能な厚み寸法に設定されている。
【０１８９】
なお、係止受け１２１は、受け部１２８とは逆側の連結壁部１２７側において、スリット状の当該係止受け１２１を閉塞する閉塞部１２９を備えている。但し、閉塞部１２９は係止受け１２１において受け部１２８が形成された側とは反対側の端部に形成されている。また、閉塞部１２９は、スリット状の係止受け１２１の全体を閉塞しているのではなく、一部のみを閉塞している。
【０１９０】
表側構成体１０１と裏側構成体１０２とが一体化された状態では、図１０（ａ）及び図１０（ｂ）に示すように、係止受け１２１内にフック部１１１が挿入されおてり、図１０（ａ）に示すように、フック部１１１の係止用溝１１７内に係止受け１２１の受け部１２８が入り込んでいる。そして、受け部１２８は、枠部１１２に当接しているとともに、フック部１１１の延出部１１６に当接している。
【０１９１】
この場合、表側構成体１０１と裏側構成体１０２とを、係止用溝１１７に対する受け部１２８の入り込み方向に移動させて分離させようとしても、表側構成体１０１の起立部１１５に受け部１２８が当接することで規制される。また、表側構成体１０１と裏側構成体１０２とを基板ボックス９２の厚み方向に分離させようとしても、フック部１１１と受け部１２８との当接により規制される。また、図１０（ｂ）に示すように、フック部１１１は係止受け１２１を構成する下側周壁部１２３及び内側壁部１２６の両方に挟まれた状態となっている。したがって、表側構成体１０１と裏側構成体１０２とを上下方向に移動させて分離させようとしても、フック部１１１が下側周壁部１２３又は内側壁部１２６のいずれかに当接することで規制される。つまり、フック部１１１及び係止受け１２１により、表側構成体１０１と裏側構成体とを分離させる際の方向が、係止用溝１１７から受け部１２８を抜き取る方向、すなわち基板ボックス９２の一方の短辺側に規制されている。
【０１９２】
特に、フック部１１１と係止受け１２１との組み合わせは、基板ボックス９２の両長辺部においてそれぞれ複数組設けられており、さらにはこれらの組み合わせは、各長辺部においてその長さ方向の略全体に亘って分散させた位置にて行われている。したがって、上記規制は強固に行われている。
【０１９３】
図１０（ｂ）に示すように、係止受け１２１内にフック部１１１が挿入され、且つ係止用溝１１７内に受け部１２８が入り込んだ規制状態では、表側構成体１０１の下枠部１１４が裏側構成体１０２の下側台座部１２５と基板ボックス９２の厚み方向に重なり合っている。この場合、下側台座部１２５の全体に亘って下枠部１１４が重なり合っており、これら下側台座部１２５と下枠部１１４とにより基板ボックス９２の長辺部において当該基板ボックス９２の内部空間の周面の一部が構成されている。
【０１９４】
下枠部１１４は、上記のとおり表側周縁部１０３のベース部１１０から裏側構成体１０２側に起立させて設けられている。また、下側台座部１２５は上記のとおりスリット状の係止受け１２１を構成する部位であり、それに伴って下枠部１１４よりも肉厚に形成されている。さらには、下枠部１１４は、下側台座部１２５上において下側周壁部１２３と接するように当該下側周壁部１２３側に偏倚した位置に配置されている。したがって、図１０（ｂ）に示すように、下枠部１１４へと続くベース部１１０と下側台座部１２５との間には所定の隙間が形成されており、当該隙間には主制御基板９１の周縁部の一部が入り込んでいる。
【０１９５】
裏側構成体１０２の下側周壁部１２３は、上記のとおり下側台座部１２５よりも表側構成体１０１側に突出しており、当該突出した部位が下枠部１１４の外側の側面に対して外方から重なり合っている。また、下側周壁部１２３はその起立した先端側の端面が表側周縁部１０３におけるベース部１１０の表面と面一となっている。つまり、下側周壁部１２３は表側周縁部１０３における一長辺部の外側周面の全体と重なり合っている。当該構成であることにより、表側構成体１０１と裏側構成体１０２との長辺部における境界は、図８に示すように、線状となっている。
【０１９６】
また、当該境界は、図１０（ｂ）に示すように、表側周縁部１０３のベース部１１０よりも外側にある。当該境界を通じて基板ボックス９２の内部空間にリード線などの不正用治具を挿入しようとしても、上記のとおり下枠部１１４と下側台座部１２５とがその全体に亘って重なり合っているため、それが阻止される。さらには、上記のとおりフック部１１１と係止受け１２１とによる規制は強固に行われているため、下枠部１１４と下側台座部１２５とを離間させようとしてもそれが強固に阻止される。
【０１９７】
ここで、上記のようにフック部１１１と係止受け１２１とが設けられていることにより、基板ボックス９２の小型化を図りながら、表側構成体１０１と裏側構成体１０２との分離方向の規制が強固に行われている。当該構成について、図１１を用いて、基板ボックス９２の体格が大きくなってしまう構成と比較しながら説明する。図１１（ａ）は本パチンコ機１０における基板ボックス９２の規制箇所を示す断面図であり、図１１（ｂ）は比較対象の基板ボックス１３１の規制箇所を示す断面図である。
【０１９８】
本パチンコ機１０の基板ボックス９２では上記のとおりフック部１１１と係止受け１２１とが設けられていることにより、図１１（ａ）に示すように、基板ボックス９２の内部空間の縁部から基板ボックス９２の周面までの距離はＸ１となっている。
【０１９９】
これに対して、比較対象の基板ボックス１３１では、図１１（ｂ）に示すように、フック部１３２と係止受け１３３とが、上記基板ボックス９２とは逆の関係で、表側構成体１３４及び裏側構成体１３５に形成されている。つまり、裏側構成体１３５にフック部１３２が形成されており、表側構成体１３４に係止受け１３３が形成されている。また、上記基板ボックス９２ではフック部１１１が設けられた表側構成体１０１の縁部において基板ボックス９２における内部空間の周面の一部を構成していたが、本基板ボックス１３１ではフック部１３２が設けられた裏側構成体１３５の縁部は内部空間の周面の一部を構成していない。したがって、基板ボックス１３１の内部空間の縁部から基板ボックス１３１の周面までの距離はＸ２となっており、上記基板ボックス９２における対応箇所の距離Ｘ１よりもＸ３だけ長くなっている。
【０２００】
以上より、本パチンコ機１０における基板ボックス９２によれば、基板ボックス９２の小型化を図りながら、表側構成体１０１と裏側構成体１０２との分離方向の規制が強固に行われている。パチンコ機１０では、図柄表示装置４１の表示画面の大型化やパチンコ機１０の多機能化を行うことが好ましい。しかしながら、表示画面の大型化やパチンコ機１０の多機能化を図ろうとすると、パチンコ機１０の背面側において電気機器を搭載するスペースに制限が生じてしまう。これに対して、上記のとおり基板ボックス９２の小型化を図ることで、表示画面の大型化やパチンコ機１０の多機能化を良好に実現することができる。
【０２０１】
次に、上記規制手段による表側構成体１０１と裏側構成体１０２との組み付け作業について図１２を用いて説明する。図１２（ａ）〜（ｃ）は表側構成体１０１と裏側構成体１０２との組み付け作業を説明するための説明図である。
【０２０２】
表側構成体１０１と裏側構成体１０２とを相互に固定する場合、図１２（ａ）の状態から図１２（ｂ）の状態となるように、先ず裏側構成体１０２の裏側からフック部１１１を係止受け１２１内に挿入する。この場合、フック部１１１の自由端が、挿入された係止受け１２１内の受け部１２８側を向いている。また、この状態では、表側構成体１０１と裏側構成体１０２とは完全に重なり合っておらず、左右方向にずれた状態となっている。
【０２０３】
その後、表側構成体１０１又は裏側構成体１０２の少なくとも一方を、両構成体１０１，１０２が完全に重なり合う方向にスライド移動させることにより、図１２（ｃ）に示すように、フック部１１１の係止用溝１１７内に係止受け１２１の受け部１２８が入り込む。これにより、係止用溝１１７に対する受け部１２８の抜け方向にのみ移動可能なように表側構成体１０１及び裏側構成体１０２の移動方向が規制される。そして、当該状態において固定手段による固定を行うことで、規制手段により規制された移動方向への移動も行うことが不可となり、表側構成体１０１及び裏側構成体１０２が相互に固定される。
【０２０４】
次に、固定手段について説明する。
【０２０５】
図８及び図９に示すように、表側構成体１０１における一方の短辺部には、表側結合領域１４１が一体形成されている。表側結合領域１４１は、当該短辺部において膨出部１０４から側方に延出させて形成されている。表側結合領域１４１には複数（具体的には、４個）の表側結合部１４２，１４３が設けられており、各表側結合部１４２，１４３には基板ボックス９２の厚み方向に貫通する貫通孔部１４４が形成されている。なお、本実施の形態においては、主制御装置６３を製造する際に使用される表側結合部と、主制御装置６３を開放した後、両構成体１０１，１０２を再ボックス化する場合に使用される表側結合部との２種類の異なる表側結合部を備えている。以下、説明の便宜上、前者を「第１表側結合部１４２」と称し、後者を「第２表側結合部１４３」と称することとする。
【０２０６】
各表側結合部１４２，１４３は、前記短辺部に沿って並設されている。より具体的には、短辺部に沿い離間して配置された２つの第１表側結合部１４２の間に、２つの第２表側結合部１４３が配置されている。また、各第１表側結合部１４２は第１連結部１４５を介して膨出部１０４と連結されているとともに、第２連結部１４６を介して隣り合う第２表側結合部１４３と連結されている。この場合、各連結部１４５，１４６の周囲には、ニッパやカッタ等の工具を差込可能な空間が確保されており、第１表側結合部１４２を破壊するよりも上記工具により切断し易くなっている。なお、上述した第２連結部１４６を省略することも可能である。因みに、第１表側結合部１４２及び第２表側結合部１４３の相違点についての詳細は後述する。
【０２０７】
表側結合領域１４１に対応させて、裏側構成体１０２の裏側周縁部１０６には裏側結合領域１５１が設けられている（図１３等参照）。ここで、本基板ボックス９２では、裏側結合領域１５１が特徴的な構成となっている。そこで以下に、裏側結合領域１５１の特徴的な構成を重点的に説明しつつ、上記結合に関する構成を説明する。
【０２０８】
先ず、裏側結合領域１５１の構成を、図９に加え図１３〜図１５を用いて説明する。図１３は裏側結合領域１５１の断面図、図１４は裏側結合領域１５１を構成する受け部材１５３の一部破断領域を含む斜視図、図１５（ａ）は裏側結合領域１５１を構成するカバー部材１５４の正面図、図１５（ｂ）はカバー部材１５４を裏側から見た斜視図である。
【０２０９】
裏側結合領域１５１は、図９及び図１３に示すように、裏側構成体１０２の裏側周縁部１０６に一体形成された結合領域形成部１５２と、当該結合領域形成部１５２に組み付けられる受け部材（受け金具）１５３及びカバー部材１５４と、を備えている。
【０２１０】
結合領域形成部１５２は、裏側構成体１０２の裏側周縁部１０６における一方の短辺部において、全体又は略全体に亘って形成されている。結合領域形成部１５２には、図１３に示すように、表側構成体１０１側に向けて開放された溝部１５５が形成されている。溝部１５５は、結合領域形成部１５２の全体に亘って形成されている。
【０２１１】
結合領域形成部１５２には、溝部１５５内に挿入された状態で受け部材１５３が固定されている。受け部材１５３は、少なくとも裏側構成体１０２の壁部よりも高強度な（硬質な）金属板を図１４に示すように、複数箇所で折り曲げることにより形成されており、結合領域形成部１５２の溝部１５５と同一又は略同一の長さ寸法を有している。なお、受け部材１５３を、金属板を折り曲げることにより形成するのではなく、複数の金属板を溶接することにより形成してもよい。
【０２１２】
受け部材１５３は、溝部１５５の周面に沿うようにして凹み空間１６１を有するように形成された受けベース部１６２と、当該受けベース部１６２に対して一体形成された引っ掛け板部１６３と、を備えている。この場合、受けベース部１６２は相互に対向する対向板部１６４，１６５と、これら対向板部１６４，１６５を一端において連結する連結板部１６６と、を備えており、これら各板部１６４，１６５，１６６により、凹み空間１６１が形成されている。また、引っ掛け板部１６３も板状であり、一部の板部は内側の対向板部１６４と対向している。
【０２１３】
受け部材１５３は、受けベース部１６２の外周面が溝部１５５の内周面と重なるように、結合領域形成部１５２に設置されている。この場合、引っ掛け板部１６３は、結合領域形成部１５２において溝部１５５を形成する壁部のうち内側溝壁部１５６に引っ掛けられた状態となっている。また、図９及び図１４に示すように、受けベース部１６２の対向板部１６４，１６５のうち、外側の対向板部１６５には係止用凹部１６７が複数箇所に形成されており、これに対応させて、図９に示すように、結合領域形成部１５２において溝部１５５を区画する壁部のうち外側溝壁部１５７には、係止部１５８が一体形成されている。係止部１５８は係止用凹部１６７に１対１で対応させて複数箇所に形成されている。
【０２１４】
受け部材１５３を結合領域形成部１５２に設置した状態では、係止用凹部１６７が係止部１５８により係止され、結合領域形成部１５２に対して受け部材１５３が固定されている。受け部材１５３が結合領域形成部１５２に固定された状態においては、受けベース部１６２における凹み空間１６１は表側構成体１０１に向けて開放されており、受けベース部１６２は溝部１５５内の略全体に亘って位置している。
【０２１５】
つまり、図８に示すように、受け部材１５３は基板ボックス９２における一の短辺部の略全体に亘って位置している。換言すれば、受け部材１５３は基板ボックス９２の複数の周面部のうち少なくとも所定の周面部におけるコーナー部分間の全体又は略全体に亘って位置するように設けられている。さらに換言すれば、基板ボックス９２は正面視で多角形状（四角形状）に形成されており、受け部材１５３は所定の一辺部の当該辺部が延びる方向の全体又は略全体に亘って位置するように設けられている。
【０２１６】
受け部材１５３の対向板部１６４，１６５のうち、内側の対向板部１６４には、図１３に示すように、凹み空間１６１側に突出するように係止片１６８が設けられている。係止片１６８は、図１４の破断部分に示すように、内側の対向板部１６４を切除しない範囲で切断を行い、切断によって板バネ状となった箇所を凹み空間１６１側に曲げることにより形成されている。この場合、係止片１６８の自由端は、受けベース部１６２の連結板部１６６側、すなわち凹み空間１６１の奥側を向いている。係止片１６８は、等間隔で複数形成されており、この数は表側結合領域１４１に形成された表側結合部１４２，１４３の数と同数となっているとともに、表側結合部１４２，１４３の位置に対応させて形成されている。
【０２１７】
上記のように受け部材１５３が固定された結合領域形成部１５２に対してカバー部材１５４が設置されている。カバー部材１５４は、無色透明のポリカーボネート樹脂により形成されているが、形成材料はこれに限定されることはなく、アクリル樹脂等であってもよい。カバー部材１５４は、結合領域形成部１５２と同一又は略同一の長さ寸法を有しており、結合領域形成部１５２及び受け部材１５３の全体又は略全体を覆う機能を有しているとともに、受け部材１５３が固定された結合領域形成部１５２を表側結合部１４２，１４３と同数の裏側結合部１７６に区画するための機能を有している。
【０２１８】
具体的には、カバー部材１５４は、図１３に示すように、第１カバー板部１７２と、当該第１カバー板部１７２に対して直交する第２カバー板部１７３と、を有するカバーベース部１７１を備えている。カバー部材１５４を結合領域形成部１５２に設置した場合には、第１カバー板部１７２は結合領域形成部１５２の対向する溝壁部１５６，１５７及び結合領域形成部１５２に固定された受け部材１５３に対して、受け部材１５３の凹み空間１６１の開放側から重なり合っており、第２カバー板部１７３は結合領域形成部１５２における外側溝壁部１５７の外側周面の全体に対して外方から重なり合っている。
【０２１９】
第１カバー板部１７２には、図１５（ａ）に示すように、その長さ方向に等間隔で複数の貫通孔部１７４が形成されている。当該貫通孔部１７４が形成されていることにより、受け部材１５３の凹み空間１６１は第１カバー部材１５４により完全に閉塞されておらず、貫通孔部１７４の位置にて表側構成体１０１側に向けて開放されている。
【０２２０】
貫通孔部１７４は、受け部材１５３の係止片１６８と１対１で対応しており、図１３に示すように、一の貫通孔部１７４と基板ボックス９２の厚み方向に並ぶ位置に一の係止片１６８が位置している。また、貫通孔部１７４は、表側結合部１４２，１４３と１対１で対応している。
【０２２１】
第１カバー板部１７２の表面側には、図１５（ａ），（ｂ）に示すように、当該第１カバー板部１７２の表面側において各貫通孔部１７４が形成された領域を個別に区画するようにして区画壁部１７５が一体形成されている。そして、区画壁部１７５により区画された各領域によって裏側結合部１７６が構成されている。各裏側結合部１７６は、表側構成体１０１に向けて開放されているとともに、裏側構成体１０２において裏側結合領域１５１が形成された側の短辺部と対向する短辺部に向けて開放されている。各裏側結合部１７６は対応する表側結合部１４２，１４３を収容可能な大きさを有しており、各裏側結合部１７６に対応する各表側結合部１４２，１４３が収容された状態では、各表側結合部１４２，１４３の貫通孔部１４４と各裏側結合部１７６の貫通孔部１７４とが連通された状態となる。
【０２２２】
なお、図１５（ｂ）に示すように、第１カバー板部１７２の裏面側には、複数箇所に位置決め用突起１７７が形成されており、カバー部材１５４を設置する場合にはこれら位置決め用突起１７７が受け部材１５３の凹み空間１６１内に入り込むようにすることで、設置箇所の位置決めを容易に行うことができる。また、当該突起１７７が受け部材１５３の凹み空間１６１内に入り込むことで、カバー部材１５４をその設置箇所から離脱させる際の離脱方向が規制される。換言すれば、凹み空間１６１が開放されている方向、すなわち裏側構成体１０２から表側構成体１０１に向けた方向に規制される。
【０２２３】
ここで、カバー部材１５４の固定に関する構成について、図９，図１４，図１５に加え図１６（ａ）を用いて説明する。図１６（ａ）は図８のＢ−Ｂ線部分断面図である。
【０２２４】
図９等に示すように、第１カバー板部１７２の中央には、その第１カバー板部１７２から表側構成体１０１側に起立する円筒部１７８が一体成形されている。第１カバー板部１７２には、円筒部１７８の孔部１７８ａに連通し、当該円筒部１７８の軸線方向と同一方向に延びる丸孔１７９が形成されている。より詳しくは、孔部１７８ａと丸孔１７９とは段差状に連続しており、その孔径は丸孔１７９において減縮されている。
【０２２５】
また、図９及び図１４に示すように受け部材１５３には丸孔１７９と連通する連通孔１６９が形成されており、これら孔部１７８ａと丸孔１７９と連通孔１６９とには表側構成体１０１側から破断ネジ１７０が挿通されている。裏側構成体１０２には、この破断ネジ１７０がねじ込まれる取付穴部１５９が形成されており、その取付穴部１５９に対して破断ネジ１７０が螺着されることによって、裏側構成体１０２と受け部材１５３とカバー部材１５４とが一体化されている。
【０２２６】
なお、破断ネジ１７０とは、装着作業と取り外し作業とを比較した場合、後者の方が困難となるものであり、一旦装着された後には、固定対象及び自身の少なくともいずれかの破壊を伴うことなくその取り外しが不可とされるものである。より具体的に説明すれば、ドライバなどの工具の先端を差込可能な頭部１７０ａと、ネジ溝が形成された側との連結部分１７０ｂの強度が低く設定されたものであり、それ以上締めることができない位置において頭部１７０ａに対して上記工具によりさらに所定の力を加えることにより、上記連結部分１７０ｂが切断され、頭部１７０ａが分離されるものである。つまり、破断ネジ１７０は、螺着後において、上記工具を用いて緩める方向へ回転させることを不可とするものである。なお、裏側構成体１０２に螺着されている破断ネジ１７０は螺着後においてその頭部１７０ａが分離されている。
【０２２７】
因みに、螺着後において裏側構成体１０２とカバー部材１５４との結合を緩めることができないようにすることができるのであれば、裏側構成体１０２とカバー部材１５４とを結合する固定具は破断ネジ１７０に限定されることはなく周知のワンウェイネジであってもよい。
【０２２８】
図１６に示すように、破断ネジ１７０の連結部分１７０ｂは、円筒部１７８の孔部１７８ａ内に収容されている。すなわち、連結部分１７０ｂは円筒部１７８によって囲われた状態となっている。このように連結部分１７０ｂを囲う機能に着目すれば円筒部１７８を「囲い部」と称することも可能であり、連結部分１７０ｂをその内部に収容する機能に着目すれば「収容部」と称することも可能である。
【０２２９】
ここで、破断ネジ１７０と円筒部１７８との関係について詳細に説明する。円筒部１７８の起立量Ｘ５は、第１カバー板部１７２からの破断ネジ１７０（詳しくは連結部分１７０ｂ）の突出量Ｘ６よりも大きく設定されており、当該円筒部１７８によって、破断ネジ１７０が主制御装置６３の側方へ露出することを回避している。
【０２３０】
また、両構成体１０１，１０２が相互に組み合わせられた状態においては、丸孔１７９の中心軸線上に表側構成体１０１が位置している。この表側構成体１０１によって、破断ネジ１７０へのアクセスが妨げられている。具体的には、図１６に示すように、表側構成体１０１の表側結合領域１４１には、円筒部１７８の開放部分を塞ぐ遮蔽部１８０が一体成形されている。遮蔽部１８０は、円筒部１７８にほぼ接した（近接した）状態となっており、前記円筒部１７８とともに、前記破断ネジ１７０の連結部分１７０ｂを収容する閉空間を区画形成している。遮蔽部１８０は、基板ボックス９２の長手方向、すなわち前記規制手段による規制方向と反対側に延びる板状をなしており、両構成体１０１，１０２が組み合わされる際の円筒部１７８との引っ掛かりが回避されている。なお、遮蔽部１８０と円筒部１７８とが接する（当接する）構成とすることも可能である。
【０２３１】
更には、円筒部１７８の起立量Ｘ５は、破断ネジ１７０の頭部１７０ａが残存している状態における当該破断ネジ１７０の第１カバー板部１７２からの突出量Ｘ７よりも小さく設定されている。このため、破断ネジ１７０の頭部１７０ａが分離されていない状態にて、すなわち破断ネジ１７０の取り外しが規制されていない状態にて、両構成体１０１，１０２を組み合わせようとした場合には、破断ネジ１７０の頭部１７０ａと遮蔽部１８０とが当接し、所定の組み受け位置への移動が妨げられることとなる。すなわち、遮蔽部１８０は、上記破断ネジ１７０の露出を抑える遮蔽機能に加え、破断ネジ１７０における頭部１７０ａの取り忘れ防止機能を併せ有している。
【０２３２】
また、図１６（ｂ）に示すように、両構成体１０１，１０２を組み合わせた状態、詳しくは図１２（ｂ）に示すように両構成体１０１，１０２が組み合わされているものの未だ相互に位置ずれした状態においては、丸孔１７９の中心軸線（破断ネジ１７０の着脱経路）と遮蔽部１８０の一部とが重なっている。換言すれば、破断ネジ１７０を着脱する際の当該破断ネジ１７０の通過領域Ｅ１と遮蔽部１８０の一部とが、両構成体１０１，１０２の装着完了状態のみならず、少なくとも係止受け１２１に対してフック部１１１が引っ掛かった状態においては重なるように構成されている。このため、遮蔽部１８０による破断ネジ１７０の取り外し制限を解除するには、先ず両構成体１０１，１０２を分離する必要があり、両構成体１０１，１０２を規制手段による規制方向に若干位置ずれさせることにより破断ネジ１７０の不正な取り外しが容易化されるといった不都合は生じにくくなっている。
【０２３３】
次に、裏側結合領域１５１を形成する上での作業の流れ及び両構成体１０１，１０２の組み合わせ作業の流れを、図１６（ａ）及び図１７を用いて説明する。図１７（ａ）〜（ｃ）は裏側結合領域１５１を形成する上での作業を説明するための説明図である。
【０２３４】
図１７（ａ）に示す裏側構成体１０２の結合領域形成部１５２に対して、図１７（ｂ）に示すように受け部材１５３を設置する。当該設置は、受け部材１５３の受けベース部１６２が結合領域形成部１５２の溝部１５５内に入り込むように、且つ受け部材１５３の引っ掛け板部１６３が結合領域形成部１５２の内側溝壁部１５６に引っ掛けられた状態となるように行われる。
【０２３５】
図１７（ｂ）に示すように、受け部材１５３の受けベース部１６２が結合領域形成部１５２の溝部１５５の内周面と重なった状態となることで、受けベース部１６２の係止用凹部１６７が結合領域形成部１５２の係止部１５８により係止された状態となる。なお、係止部１５８はその先端が溝部１５５内に突出しているが、当該係止部１５８は受けベース部１６２の溝部１５５への入り込みに際して当該入り込みを阻害しない位置へと弾性変形可能に形成されている。
【０２３６】
その後、図１７（ｃ）に示すように、受け部材１５３が設置された結合領域形成部１５２にカバー部材１５４を設置する。この際、カバー部材１５４に位置決め用突起１７７が形成されていることにより、カバー部材１５４の設置を良好に行うことができる。また、カバー部材１５４を設置した場合には、当該カバー部材１５４により係止部１５８が外側から覆われる。さらに、溝部１５５の開放箇所における、係止部１５８と係止用凹部１６７との係止箇所を露出させる部位もカバー部材１５４により覆われる。これにより、係止部１５８と係止用凹部１６７との係止状態を不正に解除しようとしても、当該行為が行いづらくなる。
【０２３７】
次に、カバー部材１５４の円筒部１７８（詳しくは孔部１７８ａ）に対して破断ネジ１７０を挿入する。そして、この破断ネジ１７０を丸孔１７９及び連通孔１６９に挿通させ、ドライバ等の工具を用いて破断ネジ１７０を取付穴部１５９にねじ込む。それ以上破断ネジ１７０を締めることができない位置までねじ込むことにより、カバー部材１５４が裏側構成体１０２に対して固定された状態となる。すなわち、カバー部材１５４と受け部材１５３と裏側構成体１０２とが一体化され、裏側結合領域１５１の形成が完了する。
【０２３８】
このように、カバー部材１５４の固定がなされた状態にて、上記工具に更に所定の力を加えることにより、破断ネジ１７０の連結部分１７０ｂを切断する。これにより、破断ネジ１７０の頭部１７０ａが分離され、当該頭部１７０ａの取り外しが可能となる。そして、このように頭部１７０ａの分離がなされることにより、破断ネジ１７０の取り外しが困難なものとなり、カバー部材１５４や受け部材１５３の裏側構成体１０２からの取り外しが規制される。
【０２３９】
その後、図１６（ａ）に示すように、両構成体１０１，１０２を所定の方向に相対移動させることによって両構成体１０１，１０２を組み合わせる。かかる場合、破断ネジ１７０の頭部１７０ａが取り除かれていることによって、両構成体１０１，１０２、の組み付け完了位置への移動が許容される。詳しくは、破断ネジ１７０と表側構成体１０１の遮蔽部１８０との干渉が回避され上述した組み付け完了位置への移動が許容されることとなる。このようにして両構成体１０１，１０２の組み付けが完了した状態においては、破断ネジ１７０の取り外し軌道上に遮蔽部１８０が位置することとなる。より詳しくは、円筒部１７８の開口が遮蔽部１８０によって塞がれ、破断ネジ１７０（詳しくは連結部分１７０ｂ）の露出が抑えられる。これにより、基板ボックス９２の外部からの破断ネジ１７０へのアクセスが困難なものとなる。故に、破断ネジ１７０を不正に取り外そうとしても、当該行為が行いづらくなる。
【０２４０】
ここで、カバー部材１５４の固定部位（丸孔１７９）と前記表側結合部１４２，１４３の相互の位置関係について説明する。図８等に示すように、カバー部材１５４の固定部位を挟んだ両側に第１表側結合部１４２が配置されている。より具体的には、カバー部材１５４の両短側に偏倚して第１表側結合部１４２が配置されている。そしてこれらカバー部材１５４の固定部位と第１表側結合部１４２との間には第２表側結合部１４３がそれぞれ配置されている。換言すれば、カバー部材１５４の固定部位は第１表側結合部１４２と第２表側結合部１４３とによって二重に挟まれた状態となっている。すなわち、固定部位と第１表側結合部１４２までの距離寸法は、固定部位と第２表側結合部１４３までの距離寸法よりも大きく設定されている。
【０２４１】
次に、表側結合部１４２，１４３と裏側結合部１７６との結合に関連する構成ついて説明する。上述の如く第１表側結合部１４２と第２表側結合部１４３との結合に関連する構成は一部相違している。故に、先ず図１８（ａ）に基づき第１表側結合部１４２について詳細に説明し、その後、第１表側結合部１４２との相違点を踏まえて第２表側結合部１４３について説明する。図１８（ａ）は基板ボックス９２における第１表側結合部１４２と裏側結合部１７６との結合箇所を示す断面図である。
【０２４２】
各裏側結合部１７６に対して対応する各第１表側結合部１４２が収容された状態では、上記のとおり、各第１表側結合部１４２の貫通孔部１４４と第１カバー板部１７２に形成された対応する貫通孔部１７４とが連通された状態となっている。これら連通された貫通孔部１４４，１７４に対して、図１８（ａ）に示すように、第１表側結合部１４２側から、金属製の第１結合具（固定具）１８１が挿入されていることで、第１表側結合部１４２と裏側結合部１７６とが結合（固定）されている。
【０２４３】
第１結合具１８１は、長尺状をなす金属製の板材が略Ｌ字状に折り曲げ形成されてなり、前記貫通孔部１４４，１７４に挿通されるベース部１８１ａと、ベース部１８１ａの片側の端部に形成され当該ベース部１８１ａと直交する操作部１８１ｂと、によって構成されている。ベース部１８１ａにはその厚み方向に貫通する係止孔部１８１ｃが形成されており、第１結合具１８１を挿入することで当該係止孔部１８１ｃ内に係止片１６８が入り込む。この場合、係止片１６８は上記のとおり板バネとしての機能を有しているとともに、自由端が凹み空間１６１の奥側に向けられているため、第１結合具１８１の挿入方向の移動は規制しないが、係止孔部１８１ｃ内に係止片１６８が入り込んだ後は第１結合具１８１の抜き取り方向の移動は規制する。これにより、第１表側結合部１４２と裏側結合部１７６とが結合され、表側構成体１０１と裏側構成体１０２とが固定される。第１結合具１８１を挿入する際には、操作部１８１ｂを指等で押すことにより、作業を容易に行うことができる。
【０２４４】
操作部１８１ｂは、ベース部１８１ａにおける表側結合部１４２側の端部に形成されており、装着された状態においては、その板面が第１表側結合部１４２の当接部１４２ａに当接している。当接部１４２ａは、操作部１８１ｂの板面と平行な略板状をなしている。これら操作部１８１ｂと当接部１４２aとが当接することで、操作部１８１ｂと裏側結合
部１７６との間に表側結合部１４２を挟み込んだ状態となっている。すなわち、両結合部１４２，１７６が結合された状態となっている。
【０２４５】
また、表側結合領域１４１（詳しくは第１表側結合部１４２）には、当接部１４２ａを囲って起立するとともに、操作部１８１ｂを内部に収容する第１周壁部１４２ｂが形成されている。換言すれば、第１周壁部１４２ｂによって操作部１８１ｂを収容する収容凹部１８２が形成されている。収容凹部１８２の内周は操作部１８１ｂの外周とほぼ同様となるように設定されており（図８参照）、操作部１８１ｂが収容凹部１８２に収容された後は、操作部１８１ｂを掴みづらくなっている。これにより、第１結合具１８１の不正な取り外しが抑制されている。
【０２４６】
次に、第２表側結合部１４３及び当該第２表側結合部１４３に関連する構成について図１８（ｂ）に基づき説明する。図１８（ｂ）は基板ボックス９２における第２表側結合部１４３と裏側結合部１７６との結合箇所を示す断面図である。
【０２４７】
第２表側結合部１４３は、第１表側結合部１４２と同様に、当接部１４３ａ及び周壁部１４３ｂを備えている。また、第１結合具１８１と同様に、第２表側結合部１４３と裏側結合部１７６とを結合（固定）する第２結合具（固定具）１８３が設けられている。そして、周壁部１４３ｂ及び膨出部１０４の壁面によって、第２結合具１８３を収容可能な収容凹部１８４が形成されており、第２結合具１８３が収容凹部１８４に嵌まり貫通孔部１４４，１７４に対して挿入されていることで、第２表側結合部１４３と裏側結合部１７６とが結合されている。
【０２４８】
第２結合具１８３は、長尺状をなす金属製の板材が略Ｌ字状に折り曲げ形成されてなり、前記貫通孔部１４４，１７４に挿通されるベース部１８３ａと、ベース部１８３ａの片側の端部に形成され当該ベース部１８３ａと直交する操作部１８３ｂと、によって構成されている。ベース部１８３ａにはその厚み方向に貫通する係止孔部１８３ｃが形成されており、第２結合具１８３を挿入することで当該係止孔部１８３ｃ内に前記係止片１６８が入り込む。この場合、係止片１６８は上記のとおり板バネとしての機能を有しているとともに、自由端が凹み空間１６１の奥側に向けられているため、第２結合具１８３の挿入方向の移動は規制しないが、係止孔部１８３ｃ内に係止片１６８が入り込んだ後は第２結合具１８３の抜き取り方向の移動は規制する。これにより、第２表側結合部１４３と裏側結合部１７６とが結合され、表側構成体１０１と裏側構成体１０２とが固定されることとなる。
【０２４９】
周壁部１４３ｂは、表側構成体１０１の膨出部１０４に対して連なっている。すなわち、第１表側結合部１４２とは異なり、表側構成体１０１からの離脱を容易とする（切断を容易とする）連結部１４５に相当する部位は設けられていない。故に、第２表側結合部１４３が結合された場合には、両構成体１０１，１０２の分離が不可能又は困難なものとなる。
【０２５０】
収容凹部１８４の内部には、第２結合具１８３の挿入方向を所定の方向、具体的には貫通孔部１４４の軸線方向に規制する規制部１４３ｃが形成されている。規制部１４３ｃは、貫通孔部１４４の軸線方向に延びる複数（本実施の形態においては２つ）の柱状部よりなる。より詳しくは、規制部１４３ｃは貫通孔部１４４を挟んで周壁部１４３ｂと対峙しており、それら規制部１４３ｃと周壁部１４３ｂとの間隔寸法は、第２結合具１８３におけるベース部１８３ａの板厚寸法とほぼ同等となっている。貫通孔部１４４に向けて挿入された第２結合具１８３は、そのベース部１８３ａが規制部１４３ｃと周壁部１４３ｂとによって挟まれた領域に嵌まることで、その挿入方向が規制される。
【０２５１】
操作部１８３ｂは、当該操作部１８３ｂにおける折り曲げ基端側から先端側までの最大長さ寸法が、その長さ方向において相互に対峙する周壁部１４３ｂ間の間隔寸法とほぼ同等となるように構成されており、その先端縁が周壁部１４３ｂに近接した状態となっている。また、操作部１８３ｂは、その最大幅寸法（長さ方向と直交する方向における幅寸法）その幅方向において相互に対峙する周壁部１４３ｂ間の間隔寸法とほぼ同等となるように構成されており、その幅方向における両側の縁部が周壁部１４３ｂに近接した状態となっている。このように各縁部を周壁部１４３ｂに対して近接させることで、操作部１８３ｂを掴みにくくしている。これにより、操作部１８３ｂの押し操作の容易さを維持しつつ、操作部１８３ｂの引き操作を困難なものとすることが可能となっている。なお、操作部１８３ｂにおける各縁部を周壁部１４３ｂに対して当接させてもよい。
【０２５２】
また図８等に示すように、第２結合具１８３の操作部１８３ｂには、規制部１４３ｃに対応する切欠き部１８３ｄが形成されている。具体的には切り欠き部１８３ｄは、貫通孔部１４４の軸線方向にて操作部１８３ｂにおける前記規制部１４３ｃと対峙している部位が削除されてなる。このため、規制部１４３ｃによって規制された所定の方向に第２結合具１８３を押し込んだとしても、これら規制部１４３ｃによって第２結合具１８３の移動が妨げられることはなく、第２結合具１８３の操作部１８３ｂと第２表側結合部１４３の当接部１４３ａとの接触が担保されている。
【０２５３】
なお、規制部１４３ｃは周壁部１４３ｂに沿って配置されている。これにより、操作部１８３ｂの押し込み操作に伴い指が規制部１４３ｃに当たるといった不都合を生じにくくしている。すなわち、操作部１８３ｂの操作性の担保が図られている。
【０２５４】
第２結合具１８３は、収容凹部１８４の内部において仮止め（係止）される構成、すなわち結合前の待機状態にて保持される構成となっている。以下、その具体的な構成について図９及び図１９に基づき説明する。図１９は図８のＣ−Ｃ線部分断面図である。
【０２５５】
図１９に示すように、収容凹部１８４の内部（詳しくは周壁部１４３ｂ）には、内方に突出し前記係止孔部１８３ｃに引っ掛かる仮止め部としての係止爪部１４３ｄが形成されている。周壁部１４３ｂには、第２結合具１８３の挿入に基づいて係止爪部１４３ｄを含んだ部位の撓み変形（弾性変形）を可能とする構成体側可動部１４３ｅが形成されている（図９参照）。構成体側可動部１４３ｅは板バネとしての機能を有しており、自身が撓み変形（弾性変形）することによって、収容凹部１８４の内方への係止爪部１４３ｄの突出量が減少する構成となっている。
【０２５６】
一方、区画壁部１７５には、当該区画壁部１７５における構成体側可動部１４３ｅと対峙している部位を含んだ領域が他の部位と独立して変形（弾性変形）できるようにカバー側可動部１７５ａが形成されている。具体的には、カバー側可動部１７５ａは、区画壁部１７５における構成体側可動部１４３ｅと対峙している部位を含んだ領域を挟んだ両側に切り込みが形成されており、この切り込みによって区画壁部１７５の周辺部位に対して独立して変形可能となっている。
【０２５７】
収容凹部１８４内に第２結合具１８３を挿入した際には、係止爪部１４３ｄと第２結合具１８３のベース部１８３ａとが接触する。第２結合具１８３の押し込み操作に基づいて、構成体側可動部１４３ｅが撓み変形（弾性変形）し、これに伴ってカバー側可動部１７５ａも撓み変形（弾性変形）する。すなわち、両可動部１４３ｅ，１７５ａが一体となって撓む。これにより、係止爪部１４３ｄの突出量が減少し、第２結合具１８３の挿入が許容される。詳しくは、係止爪部１４３ｄがベース部１８３ａの板面上に乗り上げた状態となり、第２結合具１８３の移動に伴って係止爪部１４３ｄがベース部１８３ａの板面上を摺動する。かかる状態においては、両可動部１４３ｅ，１７５ａの弾性力により、係止爪部１４３ｄがベース部１８３ａ側に付勢されたまま維持される。
【０２５８】
第２結合具１８３が所定位置まで押し込まれることにより、係止爪部１４３ｄが係止孔部１８３ｃに嵌まり得る状態となる。かかる場合、両可動部１４３ｅ，１７５ａが自身の弾性力により元の状態に復帰しようとすることで、係止爪部１４３ｄが係止孔部１８３ｃに嵌まり、それら係止爪部１４３ｄと係止孔部１８３ｃとが引っ掛かった状態となる。これにより、第２結合具１８３が仮止めされる。
【０２５９】
同図１９に示すように、係止孔部１８３ｃに対して係止爪部１４３ｄが引っ掛かった状態、すなわち仮止めされた状態では、ベース部１８３ａの先端部が貫通孔部１４４から突出（裏側結合部１７６側への突出）することが回避されている。このため、仮止めされている第２結合具１８３によって、両構成体１０１，１０２の相対移動が妨げられることはない。更に、第２結合具１８３が仮止めされた状態においては、操作部１８３ｂが収容凹部１８４内に収まっており、操作部１８３ｂを掴みにくくなっている。このため、第２結合具１８３を仮止めした後の当該第２結合具１８３の取り外し作業は困難なものとなっている。
【０２６０】
また、図７に示すように、カバー側可動部１７５ａは、構成体側可動部１４３ｅのみならず周壁部１４３ｂ（詳しくは周壁部１４３ｂにおける構成体側可動部１４３ｅを挟んだ両側）にも接触している。このため、仮にカバー側可動部１７５ａが主制御装置６３の外方から押された場合、カバー側可動部１７５ａに加わった負荷を周壁部１４３ｂによって分散することができ、構成体側可動部１４３ｅに対して局所的に負荷が集中することを回避可能となっている。更に、構成体側可動部１４３ｅの少なくとも可動先端側を含んだ部分に対してカバー側可動部１７５ａが接触している。これにより、外部から構成体側可動部１４３ｅが不正に操作されることを好適に抑制することが可能となっている。
【０２６１】
以上詳述した、構成体側可動部１４３ｅ及びカバー側可動部１７５ａによれば、構成体側可動部１４３ｅの撓み変形を許容可能としつつ、外部からの不正な操作等を抑制可能となり、実用上好ましい構成を実現することができる。
【０２６２】
なお、両結合具１８１，１８３は、裏側構成体１０２の壁部よりも高強度となるように金属により形成されているが、裏側構成体１０２の壁部よりも高強度であれば、金属製に限定されることはなく合成樹脂製であってもよく、合成樹脂材料にガラス繊維などの補強剤を分散させた材料により形成してもよく、合成樹脂材料により形成したものに対してメッキなどの表面処理を施すことにより形成してもよい。
【０２６３】
上記のとおり設置箇所からのカバー部材１５４の離脱方向は突起１７７により、裏側構成体１０２から表側構成体１０１に向けた方向に規制されているため、裏側結合部１７６に対して表側結合部１４２が重ね合わせられた状態となることで、カバー部材１５４を離脱させる方向への移動が一層好適に規制される。そして、表側結合部１４２と裏側結合部１７６とが結合されることで、カバー部材１５４は表側結合部１４２と結合領域形成部１５２とにより挟持され遊びのない状態となる。
【０２６４】
また、図１８に示すように、カバー部材１５４には、第１カバー板部１７２から基板ボックス９２の内部空間に入り込むようにして受け板部１８５が一体形成されている。受け板部１８５は、図１５（ｂ）に示すように、カバー部材１５４の長さ方向の概ね全体に亘って位置するように、複数箇所に設けられており、図１８に示すように、第１カバー板部１７２から裏側構成体１０２側に向けて延びる基端部１８６と、当該基端部１８６から基板ボックス９２の内部空間の中央側に向けて延びる先端部１８７と、を備えている。受け板部１８５の先端部１８７は、結合領域形成部１５２にカバー部材１５４を設置した状態で、裏側構成体１０２において結合領域形成部１５２に隣接させて形成された支持台部１８８に接している。また、受け板部１８５の先端部１８７は、裏側構成体１０２に表側構成体１０１を組み合わせた状態で、表側構成体１０１の枠部１１２及び表側構成体１０１に一体化された主制御基板９１の周縁部が乗り上げた状態となる。つまり、受け板部１８５の先端部１８７は、裏側構成体１０２の支持台部１８８と、表側構成体１０１の枠部１１２及び主制御基板９１の周縁部と、により挟持されている。これにより、カバー部材１５４の固定がより安定した状態で行われている。
【０２６５】
次に、表側結合部１４２，１４３と裏側結合部１７６とを結合状態とする場合の作業の流れを、図１８を用いて説明する。図２０（ａ）〜（ｃ）は第１表側結合部１４２と裏側結合部１７６とを結合状態とする場合の作業の流れを説明するための説明図である。
【０２６６】
図２０（ａ）は示すように結合領域形成部１５２に受け部材１５３及びカバー部材１５４が設置されて裏側結合領域１５１が形成された状態の裏側構成体１０２に対して表側構成体１０１を組み合わせることにより、図２０（ｂ）に示すように、第１表側結合部１４２の貫通孔部１４４と、対応する裏側結合部１７６の貫通孔部１７４とが連通された状態となる。この場合、フック部１１１及び係止受け１２１からなる規制手段により規制された状態とすることで、自ずと第１表側結合部１４２が裏側結合領域１５１の各裏側結合部１７６に対して、対応する各第１表側結合部１４２が収容された状態となり、上記のとおり各貫通孔部１４４，１７４が連通された状態となる。
【０２６７】
その後、図２０（ｃ）に示すように、連通された貫通孔部１４４，１７４に対して、第１表側結合部１４２側から第１結合具１８１を挿入することで、それら第１結合具１８１が挿入された第１表側結合部１４２及び裏側結合部１７６の組み合わせが結合状態となり、表側構成体１０１と裏側構成体１０２とが固定される。この場合に、第１表側結合部１４２と裏側結合部１７６との組み合わせは複数組（具体的には、２組）設けられているが、これら各組み合わせに対して第１結合具１８１を挿入することで、表側構成体１０１と裏側構成体１０２との固定は行われる。
【０２６８】
主制御装置６３の製造工程においては、上述の如く第１表側結合部１４２及び裏側結合部１７６の結合作業とともに、第２表側結合部１４３及び裏側結合部１７６を結合待機状態とするための（仮止めするための）予備的作業が行われる。再び図１９を用いて、この予備的作業について説明する。
【０２６９】
第１表側結合部１４２と裏側結合部１７６の結合作業が終了した後に、第２結合具１８３の仮止め作業が行われる。具体的には、第２表側結合部１４３の貫通孔部１４４に向けて第２収容凹部１８４の開口から第２結合具１８３を挿入する。かかる場合、第２結合具１８３のベース部１８３ａを貫通孔部１４４に向かって押し込むことで、ベース部１８３ａが規制部１４３ｃと周壁部１４３ｂとの間に挟まれた状態となり、その移動方向が規制される。これとほぼ同期して、ベース部１８３ａの先端が係止爪部１４３ｄに当たる。第２結合具１８３を更に押し込むことで、係止爪部１４３ｄが係止孔部１８３ｃに嵌まり、第２結合具１８３が第２表側結合部１４３に対して引っ掛かった状態となる。かかる場合、操作部１８３ｂ全体が第２収容凹部１８４内に収容される。これにより、操作部１８３ｂの押し込み操作の操作性を担保しつつ、引っ張り操作を困難なものとしている。
【０２７０】
なお、以上詳述した第２結合具１８３の仮止め作業を行った後、上述した第１表側結合部１４２及び裏側結合部１７６の結合作業を行うことも可能である。かかる場合、第２結合具１８３の仮止めを行うことにより、第１表側結合部１４２及び裏側結合部１７６の結合作業が可能となる構成としてもよい。
【０２７１】
次に、第１表側結合部１４２と裏側結合部１７６とを結合状態とした状態において、表側構成体１０１及び裏側構成体１０２の固定状態を解除する場合の作業の流れを、図２１を用いて説明する。図２１（ａ）〜（ｃ）は表側構成体１０１と裏側構成体１０２との固定状態を解除する場合の作業の流れを説明するための説明図である。
【０２７２】
表側構成体１０１と裏側構成体１０２との固定状態の解除に際しては、図２１（ａ）に示すように、結合状態となっている第１表側結合部１４２と膨出部１０４との間の連結部１４５を切断するとともに、結合状態となっている第１表側結合部１４２と結合状態となっていない第２表側結合部１４３との間の連結部１４６をニッパやカッタ等の工具により切断する。これにより、表側構成体１０１と裏側構成体１０２との分離が、第１表側結合部１４２及び裏側結合部１７６の結合により阻害されなくなる。
【０２７３】
この場合に、連結部１４５，１４６は第１表側結合部１４２に対して設けられており、裏側結合領域１５１は破壊されない。したがって、結合状態となっている第１表側結合部１４２は裏側結合領域１５１側に残る。また、このように結合状態となっている第１表側結合部１４２が残ることで、当該第１表側結合部１４２と裏側結合部１７６との結合を通じて、カバー部材１５４が結合領域形成部１５２に固定された状態は維持される。
【０２７４】
その後、図２１（ｂ）に示すように、フック部１１１及び係止受け１２１からなる規制手段により規制された方向に表側構成体１０１又は裏側構成体１０２の少なくとも一方をスライド移動させることにより、フック部１１１と係止受け１２１との係止状態が解除される。その後、図２１（ｃ）に示すように、表側構成体１０１と裏側構成体１０２とを基板ボックス９２の厚み方向に分離させることで、これら構成体１０１，１０２が完全に分離された状態となる。
【０２７５】
この場合、上記連結部１４５が切断されていることにより、当該連結部１４５の切断箇所を確認することで表側構成体１０１と裏側構成体１０２とが分離されたか否かを確認することが可能となる。
【０２７６】
このように、両構成体１０１，１０２の固定状態を解除することにより、主制御基板９１やＣＰＵチップ９３を露出させることができ、主制御基板９１やＣＰＵチップ９３の検査等を実施可能となる。本実施の形態に示す両構成体１０１，１０２は、分離された後に第２表側結合部１４３及び裏側結合部１７６を結合することにより再ボックス化可能となっている。
【０２７７】
ここで、両構成体１０１，１０２の再固定する際の作業について図１８（ｂ），図１９，図２１（ｄ）及び図２１（ｅ）を用いて説明する。図２１（ｄ）及び図２１（ｅ）は表側構成体１０１と裏側構成体１０２との再固定する場合の作業の流れを説明するための説明図である。図２１（ｄ）→図２１（ｅ）の作業に基づいて、第２結合具１８３が図１９→図１８（ｂ）の状態に移行される。
【０２７８】
図２１（ｃ）に示すように、両構成体１０１，１０２を分離し、主制御基板９１やＣＰＵチップ９３の検査等を行った後、再び両構成体１０１，１０２を組み合わせる（図１９及び図２１（ｄ）参照）。この状態では、第２表側結合部１４３の貫通孔部１４４と裏側結合部１７６の貫通孔部１７４とが連通した状態となる。ここで、図１９及び図２１（ｄ）に示すように係止爪部１４３ｄによって仮止めされている第２結合具１８３を、裏側構成体１０２側へと押し込み図１８（ｂ）及び図２１（ｅ）の状態に移行させる（係止爪部１４３ｄについては図１９参照）。図１８（ｂ）に示すように押し込まれた第２結合具１８３が係止片１６８と引っ掛かり、第２表側結合部１４３と裏側結合部１７６とが結合された状態となる。これにより、両構成体１０１，１０２の再固定が完了する。
【０２７９】
第２表側結合部１４３には第１表側結合部１４２と異なり、連結部１４５，１４６に相当する切断を容易とする箇所が設けられていない。このため、第２表側結合部１４３を結合した後は、その結合状態の解除は困難なものとなっている。
【０２８０】
なお、第２表側結合部１４３が、第１表側結合部１４２と同様に、連結部１４５，１４６等に相当する積極的に切断を容易とした部分を有する構成とすることも可能である。
【０２８１】
次に、基板ボックス９２に設けられた他の固定構造について簡略に説明する。
【０２８２】
図８に示すように、基板ボックス９２において表側結合領域１４１及び裏側結合領域１５１が設けられた側とは反対側の短辺部には、貼付板部１９１が設けられている。当該貼付板部１９１は、表側構成体１０１に形成された貼付板部と、裏側構成体１０２に形成された貼付板部とが重ね合わされることにより構成されている。貼付板部１９１には、両者の境界を跨ぐようにして封印シール１９２が貼り付けられている。封印シール１９２は、貼り付けた後に剥がすと粘着剤層が貼付板部１９１側に残り、再貼付不可となるものである。
【０２８３】
なお、基板ボックス９２において貼付板部１９１が設けられた短辺部には、当該貼付板部１９１を挟むようにして固定部１９３が設けられており、当該固定部１９３に対してネジ固定が行われていることで表側構成体１０１と裏側構成体１０２とが固定されている。
【０２８４】
次に、パチンコ機１０の電気的構成について、図２２のブロック図に基づいて説明する。図２２では、電力の供給ラインを二重線矢印で示し、信号ラインを実線矢印で示す。
【０２８５】
主制御装置６３に設けられた主制御基板９１には、主制御回路２０２と停電監視回路２０３とが内蔵されている。主制御回路２０２には、ＣＰＵチップ９３が搭載されている。ＣＰＵチップ９３には、当該ＣＰＵチップ９３により実行される各種の制御プログラムや固定値データを記憶したＲＯＭ２０５と、そのＲＯＭ２０５内に記憶される制御プログラムの実行に際して各種のデータ等を一時的に記憶するためのメモリであるＲＡＭ２０６と、割込回路やタイマ回路、データ入出力回路などの各種回路が内蔵されている。
【０２８６】
ＣＰＵチップ９３には、入力ポート及び出力ポートがそれぞれ設けられている。ＣＰＵチップ９３の入力側には、主制御基板９１に設けられた停電監視回路２０３、払出制御装置８２に設けられた払出制御基板２１１及びその他図示しないスイッチ群などが接続されている。この場合に、停電監視回路２０３には電源及び発射制御装置８３に設けられた電源及び発射制御基板２１５が接続されており、ＣＰＵチップ９３には停電監視回路２０３を介して電力が供給される。
【０２８７】
一方、ＣＰＵチップ９３の出力側には、停電監視回路２０３、払出制御基板２１１及び中継端子板２１９が接続されている。払出制御基板２１１には、賞球コマンドなどといった各種コマンドが出力される。中継端子板２１９を介して主制御回路２０２から音声ランプ制御装置６６に設けられた音声ランプ制御基板２２１に対して各種コマンドなどが出力される。
【０２８８】
停電監視回路２０３は、主制御回路２０２と電源及び発射制御基板２１５とを中継し、また電源及び発射制御基板２１５から出力される最大電圧である直流安定２４ボルトの電圧を監視する。
【０２８９】
払出制御基板２１１は、払出装置７８により賞球や貸し球の払出制御を行うものである。演算装置であるＣＰＵ２１２は、そのＣＰＵ２１２により実行される制御プログラムや固定値データ等を記憶したＲＯＭ２１３と、ワークメモリ等として使用されるＲＡＭ２１４とを備えている。
【０２９０】
払出制御基板２１１のＣＰＵ２１２には、入出力ポートが設けられている。ＣＰＵ２１２の入力側には、主制御回路２０２、電源及び発射制御基板２１５、及び裏パック基板７９が接続されている。また、ＣＰＵ２１２の出力側には、主制御回路２０２及び裏パック基板７９が接続されている。
【０２９１】
電源及び発射制御基板２１５は、電源部２１６と発射制御部２１７とを備えている。電源部２１６は、例えば、遊技場等における商用電源（外部電源）に接続されている。そして、その商用電源から供給される外部電力に基づいて主制御回路２０２や払出制御基板２１１等に対して各々に必要な動作電力を生成するとともに、その生成した動作電力を二重線矢印で示す経路を通じて主制御回路２０２や払出制御基板２１１等に対して供給する。発射制御部２１７は、遊技球発射機構５０の発射制御を担うものであり、遊技球発射機構５０は所定の発射条件が整っている場合に駆動される。
【０２９２】
音声ランプ制御基板２２１は、表示制御装置２２５を制御するものである。演算装置であるＣＰＵ２２２は、そのＣＰＵ２２２により実行される制御プログラムや固定値データ等を記憶したＲＯＭ２２３と、ワークメモリ等として使用されるＲＡＭ２２４とを備えている。
【０２９３】
音声ランプ制御基板２２１のＣＰＵ２２２には入出力ポートが設けられている。ＣＰＵ２２２の入力側には中継端子板２１９に中継されて主制御回路２０２が接続されており、主制御回路２０２から出力される各種コマンドに基づいて、表示制御装置２２５を制御する。表示制御装置２２５は、音声ランプ制御基板２２１から入力する表示コマンドに基づいて図柄表示装置４１を制御する。
【０２９４】
以上詳述した本実施の形態によれば、以下の優れた効果を奏する。
【０２９５】
主制御装置６３の基板ボックス９２において、表側結合部１４２と裏側結合部１７６とを結合具１８１により結合することで、表側構成体１０１と裏側構成体１０２との分離が阻止される。この場合に、裏側構成体１０２において結合具１８１を係止する受け部材１５３は金属製であるため、受け部材１５３と結合具１８１との係止箇所を破壊して当該係止を解除しようとしてもそれが行いづらくなる。本構成において、受け部材１５３は、全ての裏側結合部１７６に亘って設けられている。これにより、各裏側結合部１７６のそれぞれに対して個別に受け部材１５３を設置する構成に比べ、基板ボックス９２の形成作業を良好に行うことができる。また、各裏側結合部１７６のそれぞれに対して個別に受け部材を設置する構成に比べ、受け部材１５３に関して部材点数の削減を図ることが可能となる。
【０２９６】
上記金属製の受け部材１５３は、基板ボックス９２の所定の周面部におけるその長さ方向の略全体に亘って設けられているため、当該所定の周面部を破壊して基板ボックス９２の内部空間へ通じる開口を不正に形成しようとする行為を阻止することが可能となる。また、固定手段を構成する受け部材１５３により当該不正行為の阻止を可能とする機能が果たされるため、受け部材１５３の多機能化が図られる。
【０２９７】
受け部材１５３は、相互に対向する一対の対向板部１６４，１６５により幅方向が規定されて形成された一連の凹み空間１６１を備えているとともに、各裏側結合部１７６に対応した係止部１５８が凹み空間１６１内に形成されている。そして、結合具１８１との係止は凹み空間１６１内において行われる。つまり、結合具１８１の係止箇所は、金属製の受け部材１５３により規定された凹み空間１６１内において行われる。よって、当該係止箇所の周囲を破壊して、係止状態を解除しようとしてもそれが行いづらくなり、かかる不正行為を阻止することが可能となる。また、一連の凹み空間１６１内に複数の係止部１５８を設けるという比較的簡素な構成により、各裏側結合部１７６について、上記優れた効果を得ることができる。
【０２９８】
また、凹み空間１６１を形成する一対の対向板部１６４，１６５が、基板ボックス９２の所定の周面部における長さ方向の略全体に亘って位置するように設けられている。したがって、一の板部が設けられた構成に比べ、所定の周面部の強度が高められ、当該所定の周面部を破壊して基板ボックス９２の内部空間へ通じる開口を不正に形成しようとする行為を阻止することが可能となる。
【０２９９】
裏側構成体１０２には、受け部材１５３の凹み空間１６１の入口を複数の開口に区画し、複数の裏側結合部１７６を形成するカバー部材１５４が設けられている。これにより、金属製の受け部材１５３において凹み空間１６１の入口を複数の開口に区画する部位が設けられていなくても、当該区画する機能がカバー部材１５４により果たされる。これにより、受け部材１５３の形状をシンプルなものとすることが可能となる。特に、カバー部材１５４は合成樹脂製であるため、裏側結合部１７６において複雑な形状を有する部位については合成樹脂製のカバー部材１５４にて形成し、結合具１８１を係止する部位については金属製の受け部材１５３にて形成することができ、各裏側結合部１７６の一体的な形成を良好に行うことができる。
【０３００】
また、４個の裏側結合部１７６のそれぞれに対して個別に受け部材を設置する構成では、裏側構成体１０２の結合領域形成部１５２に設置する部材は少なくとも４個必要となるが、全ての裏側結合部１７６に亘って設けられた受け部材１５３と、当該受け部材１５３をカバーするカバー部材１５４とを設けた本パチンコ機１０の構成では、結合領域形成部１５２に設置する部材は２個となる。つまり、裏側結合部１７６が３個以上設けられた構成においては、カバー部材１５４を裏側構成体１０２に対して別体で設けたとしても、各裏側結合部１７６のそれぞれに対して個別に受け部材を設置する従来の構成に比べ、部材点数の削減を図ることができる。また、これに伴って、裏側構成体１０２に裏側結合領域１５１を形成する上での作業工程数も、上記従来の構成に比べ少なくすることが可能となる。
【０３０１】
また、カバー部材１５４を裏側構成体１０２に対して別体で設けるのではなく、カバー部材１５４の機能を裏側構成体１０２に対して一体形成する構成も考えられるが、この場合、裏側構成体１０２を成型するための金型の構造上、受け部材１５３の周辺をカバーして当該受け部材１５３への不正なアクセスを阻止する機能が低下することが懸念される。これに対して、カバー部材１５４を裏側構成体１０２に対して別体で設けることで、上記不正なアクセスを阻止する機能が高められ、さらには上記のとおり、従来の構成に比べ、裏側結合領域１５１を形成する上での部材点数及び作業工程数の削減が図られる。
【０３０２】
カバー部材１５４に区画壁部１７５が形成されていることにより、裏側結合部１７６への対応する表側結合部１４２の配置が区画壁部１７５によりガイドされ、当該配置を良好に行うことができる。また、本構成によれば、凹み空間１６１の入口を複数の開口に区画する機能を有するカバー部材１５４においてガイド部としての機能が果たされるため、カバー部材１５４の多機能化が図られる。
【０３０３】
受け部材１５３は完成後の裏側構成体１０２の結合領域形成部１５２に対して設置されている。例えば、裏側構成体１０２の形成に際して受け部材１５３をインサート成型する構成も考えられるが、この場合、この場合、受け部材の不正な取り外し等を困難なものとすることができる反面、金型の複雑化等を招くこととなり好ましくない。また、完成後の裏側構成体１０２（溝部１５５）に対して別体で設けられた受け部材１５３を嵌め込む構成とすれば、上述したインサート成型を行う場合と比較して、金型の簡素化を図ることができる反面、受け部材１５３の不正な取り外しが行われやすくなると懸念される。このように受け部材１５３の取り外しが容易となれば、基板ボックス９２の不正な開放が行われやすくなったり、受け部材１５３に細工等施すことにより基板ボックス９２の不正開放の痕跡を隠蔽されやすくなったりすると想定され、防犯性の観点から好ましくない。
【０３０４】
これに対して、本実施の形態においては、受け部材１５３は裏側構成体１０２の結合領域形成部１５２に対して設置され、カバー部材１５４によって溝部１５５からの取り外しが規制されている。これにより、製造工程（金型）の複雑化を抑えつつ、受け部材１５３の不正な取り外しを抑制することが可能となる。よって、基板ボックス９２の形成を良好に行うことを可能としつつ、基板ボックス９２に対して行われる不正行為の抑制に貢献することができる。
【０３０５】
また、結合領域形成部１５２に対する受け部材１５３の固定箇所はカバー部材１５４により覆われている。これにより、完成後の裏側構成体１０２に受け部材１５４を設置するようにした構成において、裏側構成体１０２に対する受け部材１５３の固定状態を不正に解除しようとする行為を行いづらくすることが可能となる。また、本構成によれば、凹み空間１６１の入口を複数の開口に区画する機能を有するカバー部材１５４において、結合領域形成部１５２に対する受け部材１５３の固定箇所を覆う機能が果たされるため、カバー部材１５４の多機能化が図られる。
【０３０６】
カバー部材１５４が固定手段としての破断ネジ１７０によって裏側構成体１０２に固定されている。このため、仮に両構成体１０１，１０２の境界部位が押し広げられた場合であっても、構成体１０１，１０２同士の相対位置の変位に伴って、カバー部材１５４が受け部材１５３から離れるといった不都合の発生を抑えることができる。これにより防犯性の向上に貢献している。
【０３０７】
破断ネジ１７０によるカバー部材１５４の固定は、各構成体１０１，１０２の相互の固定とは別個独立して行われている。このため、両構成体１０１，１０２が分離された状態であっても、カバー部材１５４によって受け部材１５３の取り外し等を好適に回避することができる。
【０３０８】
特に図９等に示すように、破断ネジ１７０によってカバー部材１５４及び受け部材１５３が裏側構成体１０２に対して共締めされている。これにより、カバー部材１５４及び受け部材１５３との相対位置がずれにくくなっている。このように、両者を同一対象に固定することで、両構成体１０１，１０２が分離された状態における、受け部材１５３へのアクセスを好適に回避することができる。
【０３０９】
カバー部材１５４は、位置決め用突起１７７によってその着脱方向が一の方向に規制されている。そして、破断ネジ１７０が装着されることで、その規制された方向への移動も抑えられる。着脱方向が規制されていない場合、破断ネジ１７０を中心として、カバー部材１５４が回転するといった不都合が生じやすくなると想定される。かかる場合、両構成体１０１，１０２の組み付け作業の妨げとなったり、受け部材１５３に対するアクセスが容易となったりすることが懸念される。破断ネジ１７０の設定数を複数とすることにより、カバー部材１５４の位置ずれを好適に抑制できるが、このように破断ネジ１７０の設定数を増すことは、作業性の悪化を招来する可能性があり望ましくない。この点、本実施の形態に示すように、着脱方向を限定することで、破断ネジ１７０を複数設定することなく、上述した不都合の発生を回避することができる。これにより、作業性の担保と防犯性の向上とを好適に両立することができる。
【０３１０】
カバー部材１５４の固定を、当該カバー部材１５４の略中央にて行った。このため、カバー部材１５４のいずれか一方の端部が他方に比べて撓みやすく（浮き上がりやすく）なるといった不都合を発生しにくくし、受け部材１５３に対する不正なアクセスを好適に抑制することができる。
【０３１１】
一つのカバー部材１５４によって、受け部材１５３全体（詳しくは複数の係止片１６８）を覆っている。各係止片１６８に対応して個々にカバー部材を設ける場合と比較して、カバー部材の取り付けを一つの破断ネジ１７０によってまとめて行えるため、部品点数削減及び作業性の担保の点で優れている。
【０３１２】
両構成体１０１，１０２を組み合わせた状態においては、円筒部１７８や遮蔽部１８０等によって破断ネジ１７０の主制御装置６３外部への露出が抑えられている。このため、破断ネジ１７０の不正な取り外しを困難なものとすることができる。このように、破断ネジ１７０へのアクセスを制限することは、受け部材１５３への不正なアクセスを回避することに繋がり、防犯性向上を期待できる。
【０３１３】
また、両構成体１０１，１０２及びカバー部材１５４は、無色透明な樹脂材料によって形成されている。このため主制御装置６３の外部から目視にて、破断ネジ１７０の取付状態の確認を行うことができるため、取付状態の確認に両構成体１０１，１０２の分離を必要としない。故に、破断ネジ１７０へのアクセスを遮蔽する構成を採用しつつ、それに伴う確認作業の煩雑化を回避することができる。また、結合具１８１，１８３や受け部材５３を構成体１０１，１０２及びカバー部材１５４を介して視認可能となっており、結合状態の確認作業の容易化が図られている。
【０３１４】
更に、破断ネジ１７０の遮蔽は、両構成体１０１，１０２の組み合わせによって実現されている。すなわち、個別の遮蔽部材及び遮蔽操作等を伴うことなく破断ネジ１７０の遮蔽を実現できている。これにより、防犯性の向上に起因する部品点数の増加や作業性の悪化を好適に回避し、実用上好ましい構成を実現している。
【０３１５】
第１表側結合部１４２が第１結合具１８１によって結合され、連結部１４５，１４６が切断された場合、第１結合具１８１はカバー部材１５４を固定する固定手段として残存することとなる。本実施の形態においては特に、カバー部材１５４は使用されるタイミングの異なる複数の結合部１４２，１４３に跨るように形成されている。つまり、第１結合具１８１は、両構成体１０１，１０２を結合するという機能を失った後であっても、カバー部材１５４の固定状態を維持することにより、未使用の裏側結合部１７６（詳しくは係止片１６８）を遮蔽する機能が維持される。すなわち、カバー部材１５４を複数の結合部１４２，１４３に跨るように形成することで、第１結合具１８１の多機能化を促進している。
【０３１６】
主制御装置６３が製造される際に使用される第１表側結合部１４２を第２表側結合部１４３よりも外側（短手方向における外側）に配置した。すなわち、表側結合領域１４１における両端部に偏倚させて配置した。第１結合具１８１による第１表側結合部１４２及び裏側結合部１７６の結合に伴って、カバー部材１５４の両端部での固定がなされることとなる。切断部１４４，１４５が切断された後であっても、第１結合具１８１によるカバー部材１５４の固定は維持される。このため、上述した破断ネジ１７０を挟んだ両側にてカバー部材１５４の固定がなされ、カバー部材１５４（受け部材１５３）の取り外しを一層困難なものとすることができる。そして、破断ネジ１７０及び第１結合具１８１によって挟まれた部位に第２表側結合部１４３が配置されている。このため、第２表側結合部１４３に対応する係止片１６８付近でカバー部材１５４を撓ませることは困難となり、それら係止片１６８に対する不正なアクセスを好適に抑制することができる。
【０３１７】
第２結合具１８３は、仮止めされることにより、第２収容凹部１８４内に収容される構成とした。このように第２結合具１８３を結合準備状態で待機させておくことで、第２結合具１８３の紛失等を回避しやすくすることができる。また、第２結合具１８３は結合方向への押し込み操作は容易であるものの、操作部１８３ｂ全体が第２収容凹部１８４内に嵌まっているため、その取り外し（引き抜き）操作は困難なものとなっている。これにより、第２結合具１８３の不正な取り外しを抑制している。
【０３１８】
また、一の受け部材１５３をカバー部材１５４によって区画する場合、各表側結合部１４２，１４３に形成された貫通孔部１４４を介して受け部材１５３（特に他の貫通孔部１４４に対応する係止片１６８）への不正なアクセスがなされるおそれがある。この点、本実施の形態における貫通孔部１４４は、両結合具１８１，１８３によって予め塞がれている。具体的には、第２表側結合部１４３の貫通孔部１４４は仮止めされた第２結合具１８３によって塞がれている。このため、受け部材１５３及びカバー部材１５４がそれぞれ複数の結合部位に跨って設けられている構成であっても、このような構成を採用したことに起因する防犯性の悪化を好適に抑制することができる。また、貫通孔部１４４を介して破断ネジ１７０への不正なアクセスがなされることを抑制することもできる。
【０３１９】
連結部１４５，１４６を破壊することで、結合具１８１を用いた各結合部１４２，１７６の結合状態を維持しながら表側構成体１０１と裏側構成体１０２との分離を可能とする構成であるため、結合具１８１を用いた固定を強固に行うようにしつつ、表側構成体１０１と裏側構成体１０２との分離に際してその痕跡を残すことが可能となる。この場合に、連結部１４５は第１表側結合部１４２に対して設けられている。例えば、連結部１４５，１４６が裏側結合部１７６に対して設けられている構成を想定すると、連結部１４５，１４６を破壊しただけでは表側構成体１０１と裏側構成体１０２との分離を行うことができず、さらに受け部材１５３の破壊を要することが想定される。そうすると、表側構成体１０１と裏側構成体１０２との分離操作を容易に行うことができない。これに対して、連結部１４５，１４６が第１表側結合部１４２に対して設けられているため、上記のような不都合が生じることはなく、表側構成体１０１と裏側構成体１０２との分離操作を容易に行うことが可能となる。
【０３２０】
カバー部材１５４は受け板部１８５を備えており、表側構成体１０１と裏側構成体１０２とを組み合わせた状態では表側構成体１０１の枠部１１２及び主制御基板９１の周縁部と、裏側構成体１０２の支持台部１８８とにより受け板部１８５が挟持される。これにより、カバー部材１５４を一層安定した状態で設置箇所に保持させることができる。
【０３２１】
主制御装置６３の基板ボックス９２において、表側構成体１０１の長辺部にフック部１１１が設けられているとともに、裏側構成体１０２の長辺部にフック部１１１に対応させて係止受け１２１が設けられており、これらフック部１１１と係止受け１２１とが係止状態となることで、表側構成体１０１と裏側構成体１０２との境界を広げようとしても、それが物理的に抑制される。これにより、当該不正行為を抑制することが可能となる。
【０３２２】
この場合に、フック部１１１が一体形成された枠部１１２の内側の面において基板ボックス９２の内部空間を規定する周面の一部が構成されている。例えば、係止受け１２１を構成する台座部１２４，１２５の内側壁部１２６を基板ボックス９２の内部空間側において枠部１１２の全体と重なり合うように設ける構成が考えられるが、そうすると基板ボックス９２の内部空間がそれだけ縮小され、上記実施の形態と同じ程度の内部空間を確保しようとすると、上記実施の形態よりも基板ボックス９２を大型化する必要がある。これに対して本構成によれば、基板ボックス９２の小型化を図りつつ、上記不正行為を抑制することが可能となる。
【０３２３】
フック部１１１及び係止受け１２１の組み合わせは、基板ボックス９２において対向する長辺部にそれぞれ設けられているとともに、各長辺部において複数組ずつ設けられている。したがって、表側構成体１０１と裏側構成体１０２との境界を広げようとする行為をより強固に抑制することが可能となる。また、このように対向する長辺部のそれぞれにおいてフック部１１１及び係止受け１２１が設けられた構成においては、それだけ基板ボックス９２の大型化が懸念される。これに対して、対応する長辺部の両方において、枠部１１２の内側の面が基板ボックス９２の内部空間を規定する周面の一部を構成しているため、基板ボックス９２の小型化を図ることが可能となる。
【０３２４】
係止受け１２１は台座部１２４，１２５に対して設けられており、周壁部１２２，１２３及び内側壁部１２６により、フック部１１１と係止受け１２１との係止箇所は基板ボックス９２の内部空間側及び基板ボックスの外側において囲まれている。これにより、フック部１１１と係止受け１２１との係止状態を不正に解除しようとする行為がそれだけ行いづらくなり、当該不正行為を阻止することが可能となる。この場合に、枠部１１２の内側の面及び内側壁部１２６の内側の面により、基板ボックス９２の内部空間を規定する周面の一部が構成されているため、上記のようにフック部１１１と係止受け１２１との係止状態を不正に解除しようとする行為を阻止可能とした構成において、基板ボックス９２の小型化が図られる。
【０３２５】
枠部１１２の先端部は台座部１２４，１２５におけるフック部１１１の挿入口が形成された部位と重なっている。上記のように枠部１１２の内側の面により基板ボックス９２の内部空間を規定する周面の一部を構成するようにした場合、枠部１１２と台座部１２４，１２５との間から基板ボックス９２の内部空間にリード線などの不正用治具が挿入されてしまうことが想定される。これに対して、枠部１１２の先端部は台座部１２４，１２５におけるフック部１１１の挿入口が形成された部位と重なっているため、枠部１１２と台座部１２４，１２５との間から基板ボックス９２の内部空間に不正用治具を挿入しようとする行為を阻止することが可能となる。
【０３２６】
特に、枠部１１２におけるベース部１１０からの突出寸法を主制御基板９１の厚み寸法と同一としたことにより、枠部１１２の内側の面において基板ボックス９２の内部空間が規定された領域に主制御基板９１の周縁部を挿入可能としつつ、枠部１１２の先端部の全体を台座部１２４，１２５におけるフック部１１１の挿入口が形成された部位に重ね合わせる（当接させる）ことができる。なお、枠部１１２におけるベース部１１０からの突出寸法を、主制御基板９１の厚み寸法よりも大きくすることで、枠部１１２の先端部の全体と台座部１２４，１２５におけるフック部１１１の挿入口が形成された部位との重ね合わせを、余裕を持って行うことができる。
【０３２７】
また、枠部１１２と台座部１２４，１２５との境界は、周壁部１２２，１２３により外側から塞がれているため、当該境界を通じて基板ボックス９２の内部空間に不正用治具を挿入しようとしてもそれが行いづらくなっている。
【０３２８】
なお、上述した実施の形態の記載内容に限定されず、例えば次のように実施してもよい。ちなみに、以下の別形態の構成を、上記実施の形態における構成に対して、個別に適用してもよく、相互に組み合わせて適用してもよい。
【０３２９】
（１）上記実施の形態では、カバー部材１５４を固定する「固定手段」として破断ネジ１７０を用いる構成としたが、これに限定されるものではない。例えば、取り付け及び取り外しが共に容易な周知のネジ等を用いてもよい。また、カバー部材の着脱方向が規定されている場合、そのように規定された装着方向へのカバー部材の移動を許容するとともに、当該カバー部材の取り外し方向への移動を制限する移動制限具（例えば連結ピン）を用いることにより、カバー部材の固定を行ってもよい。更には、上記実施の形態に示す第１結合具１８１のように、両構成体１０１，１０２を固定する固定具により、カバー部材の固定を併せて行う構成としてもよい。但し、かかる構成を採用する場合、両構成体１０１，１０２の固定状態を解除した後であっても、その固定具によるカバー部材の固定は維持され構成とすべきである。
【０３３０】
また、破断ネジ１７０の個数も１つに限定されるものではなく複数設けてもよい。特に、カバー部材１５４の取り付け方向が規定されていない場合、すなわちカバー部材１５４が複数の異なる方向へ位置ずれする可能性がある場合、複数の固定手段によって当該固定手段を起点とするカバー部材１５４の回動を抑える構成とすることが望ましい。
【０３３１】
更には、複数箇所における両構成体１０１，１０２の固定を一つの受け部材１５３によって実現する構成としたが、これを変更し、各固定箇所に対応する受け部材を別個独立して備える構成としてもよい。かかる場合、各受け部材にそれぞれ個別に対応する複数のカバー部材を設けることも可能である。複数のカバー部材を有する構成においては、それらカバー部材に個々に対応する固定手段（破断ネジ等）を設けるとよい。
【０３３２】
（２）上記実施の形態では、受け部材１５３及びカバー部材１５４を破断ネジ１７０によって一緒に固定する構成としたが、これを変更し受け部材１５３及びカバー部材１５４を個別に固定する構成としてもよい。但し、かかる場合、構成の煩雑化や作業性の悪化を招来することが懸念される。故に、望ましくは、受け部材１５３及びカバー部材１５４を同一の固定手段によってまとめて固定するとよい。
【０３３３】
また、溝部１５５に収容された受け部材１５３の取り外しを、受け部材１５３の取り外し方向先端側に配置されたカバー部材によって規制することにより、当該受け部材１５３の固定を実現してもよい。
【０３３４】
（３）上記実施の形態では、破断ネジ１７０の装着方向をカバー部材１５４及び受け部材１５３の装着方向と同一となるように構成したが、これに限定されるものではない。例えば、破断ネジ１７０を基板ボックス９２の内側から装着する構成としてもよいし、基板ボックス９２の外側から装着する構成としてもよい。
【０３３５】
（４）上記実施の形態では、円筒部１７８及び遮蔽部１８０によって破断ネジ１７０の主制御装置６３外部への露出を抑える構成としたが、これら円筒部１７８及び遮蔽部１８０を省略することも可能である。
【０３３６】
また、本実施の形態では、破断ネジ１７０の露出を抑えることで当該破断ネジ１７０の不正な取り外しを抑制する構成としたが、この構成を簡略化してもよい。すなわち、破断ネジ１７０の露出を許容しつつ、破断ネジ１７０の取り外し軌道上に当該破断ネジ１７０の取り外しを妨げる遮蔽部１８０に相当するストッパを配置する構成としてもよい。これにより、破断ネジ１７０の取り外しを制限する構成とすることも可能である。なお、前記ストッパとしての遮蔽部１８０は、表側構成体１０１に一体成形するのではなく、別体で形成した後、表側構成体１０１に装着することも可能である。
【０３３７】
（５）上記実施の形態では、カバー部材１５４の固定部（丸孔１７９）を挟んだ両側に各表側結合部１４２，１４３をそれぞれ配置する構成としたが、これを変更し、各結合部１４２，１４３をカバー部材１５４の固定部の片側に集約して配置することも可能である。換言すれば、カバー部材１５４の固定部位（破断ネジ１７０）の位置は任意であり、必ずしも両構成体１０１，１０２の固定部位によって挟まれた位置に配する必要はない。
【０３３８】
また、第１表側結合部１４２の間に第２表側結合部１４３を配置する構成としたが、この配置を逆にすることも可能である。
【０３３９】
（６）上記実施の形態では、両構成体１０１，１０２の再ボックス化（主制御基板９１の再収用）を１度だけ許容する構成としたが、再ボックス化を複数回許容する構成としてもよい。例えば、１つの第１表側結合部１４２によって両構成体１０１，１０２を固定する構成としてもよいし、第３表側結合部を追加して設けてもよい。
【０３４０】
（７）上記実施の形態では、破断ネジ１７０の頭部１７０ａの取り忘れ防止機能を付与する構成としたが、これを省略することも可能である。具体的には、装着完了状態にて破断ネジ１７０の頭部１７０ａが残存している場合、当該頭部１７０ａの一部が円筒部１７８から突出する構成としたが、頭部１７０ａが突出しない構成とすることも可能である。
【０３４１】
また、破断ネジ１７０及び遮蔽部１８０による頭部１７０ａの取り忘れ防止機構代えて、以下の構成を用いることも可能である。すなわち、破断ネジ１７０に代えて固定位置と固定解除位置とに切替え可能な操作部を有する固定具を設ける。そして、遮蔽部１８０に代えて、前記操作部が固定位置にある場合には当該操作部との接触を回避することにより両構成体１０１，１０２の組み合わせを許容し、前記操作部が固定解除位置にある場合には当該操作部と接触することにより両構成体１０１，１０２の組み合わせを阻害する阻止部を設けてもよい。
【０３４２】
（８）取付穴部１５９を有底の穴状とすることも可能である。これにより、破断ネジ１７０の露出を一層好適に抑えることができる。
【０３４３】
（９）上記実施の形態においては、第２結合具１８３を第２収容凹部１８４内にて仮止めする「仮止め手段」として係止爪部１４３ｄを設けたが、これを省略することも可能である。また、第１表側結合部１４２に仮止め手段を設定し、第１結合具１８１を仮止めする構成としてもよい。
【０３４４】
（１０）上記実施の形態では、第２結合具１８３の挿入方向を第２表側結合部１４３に形成された規制部１４３ｃによって規定する構成としたが、これを変更し、第２表側結合部１４３の周壁部１４３ｂの内面によって第２結合具１８３の挿入方向を規定する構成とすることも可能である。具体的には、第２結合具１８３の操作部１８３ｂの周縁がその全域において周壁部１４３ｂ（第２収容凹部１８４）の内面に接触する構成とするとともに、操作部１８３ｂに対して所定の厚みを付与し、その周縁が周壁部１４３ｂに対して面接触する構成とすればよい。これにより、周壁部１４３ｂに第２結合具１８３の挿入方向を規制する機能を付与することができ構成の簡略化に貢献できる。
【０３４５】
更には、操作部１８３ｂの周縁が周壁部１４３ｂに接触していることで、操作部１８３ｂを一層掴みにくくすることができる。これにより、第２結合具１８３の取り外しを困難なものとし、更なる防犯性の向上に貢献することが可能となる。
【０３４６】
（１１）上記実施の形態では、カバー部材１５４の位置決め用突起１７７が、受け部材１５３の凹み空間１６１に嵌まることで、カバー部材１５４の着脱方向が規制されるとともに装着完了位置が特定される構成としたが、位置決め用突起１７７を省略し、破断ネジ１７０によって装着完了位置のみが規定される構成とすることも可能である。
【０３４７】
（１２）上記実施の形態では、第２表側結合部１４３に第２結合具１８３の挿入方向を規制する規制部１４３ｃを形成したが、これを省略することも可能である。具体的には、第２表側結合部１４３の操作部１８３ｂの外形を第２収容凹部１８４に対応して変更することで、周壁部１４３ｂに規制部としての機能を付与してもよい。例えば、操作部１８３ｂの周縁が第２収容凹部１８４の内壁面に対して、その全域で接触する構成とすればよい。
【０３４８】
（１３）主制御装置の変形例を、図２３（ａ），（ｂ）に示す。
【０３４９】
（１４−１）図２３（ａ）に示す主制御装置２３０は基板ボックス２３１を備えており、基板ボックス２３１は上記実施の形態における主制御装置６３の基板ボックス９２と同様に、結合構造を備えている。但し、結合構造を構成する結合部２３２は、基板ボックス２３１の一の短辺部２３３において両端側に１組ずつ設けられており、両結合部２３２は離間されている。この場合に、結合構造は、結合具を係止状態とする受け部材２３４を備えている。当該受け部材２３４は金属製であり、短辺部２３３の全体又は略全体に亘って設けられている。そして、離間された両結合部２３２の両方に亘って位置している。
【０３５０】
本構成であっても、結合具を係止状態とする金属製の受け部材２３４が複数の結合部２３２に亘って設けられているため、各結合部２３２に対して個別に係止部を設ける構成に比べ、結合構造の形成作業を行う上での作業性が向上する。また、受け部材２３４は金属製であり、さらに短辺部２３３の全体に亘って設けられている。したがって、当該短辺部２３３を破壊して基板ボックス２３１の内部空間に不正にアクセスしようとする行為を、受け部材２３４において阻止することが可能となる。
【０３５１】
（１４−２）図２３（ｂ）に示す主制御装置２４０は基板ボックス２４１を備えており、基板ボックス２４１は上記実施の形態における主制御装置６３の基板ボックス９２と同様に結合構造を備えている。但し、結合構造は、基板ボックス２４１の一の短辺部だけでなく、両短辺部２４２，２４３に設けられている。この場合に、各短辺部２４２，２４３にはそれぞれ複数の結合部２４４が並設されている。また、両短辺部２４２，２４３のそれぞれに対して金属製の受け部材２４５，２４６が設けられている。各受け部材２４５，２４６は対応する短辺部２４２，２４３において全体又は略全体に亘って設けられている。
【０３５２】
上記のように両短辺部２４２，２４３に結合構造が設けられていることにより、基板ボックス２４１の各構成体の固定をより強固に行うことができるとともに、その固定の解除に際して痕跡が残る箇所が増えることで発見の容易化が図られる。また、対向する短辺部２４２，２４３の全体又は略全体に亘って金属製の受け部材２４５，２４６が設けられていることにより、いずれかの短辺部２４２，２４３を破壊して基板ボックス２４１の内部空間に不正にアクセスしようとする行為を、受け部材２４５，２４６において阻止することが可能となる。
【０３５３】
なお、図２３（ｂ）の構成において、対向する長辺部に対しても結合部２４４を並設するとともに、これら長辺部の全体又は略全体に亘って位置するように金属製の受け部材を設置する構成としてもよい。また、対向する長辺部にのみ結合部２４４を並設するとともに、これら長辺部の全体又は略全体に亘って位置するように金属製の受け部材を設置する構成としてもよい。
【０３５４】
（１５）受け部材１５３が凹み空間１６１を有していることは必須の構成ではなく、一の板部に対して係止部１５８が形成されており、受け部材１５３単体で見た場合に、当該係止部１５８が空間内に収容されているのではなく、露出している構成としてもよい。この場合、係止部１５８が空間内に収容されていないことで上記実施の形態よりもセキュリティ性が低下するものの、受け部材１５４の構成の簡素化が図られる。
【０３５５】
（１６）上記実施の形態ではカバー部材１５４を合成樹脂製としたが、これに代えて金属製としてもよい。また、合成樹脂製又は金属製のカバー部材１５４を表側結合領域１４１に固定するための専用の固定具を設けてもよく、これに代えて、合成樹脂製又は金属製のカバー部材１５４を表側結合領域１４１に接着剤を用いて固定してもよい。この場合、カバー部材１５４の固定に関して上記実施の形態よりも構成が複雑化するものの、カバー部材１５４の表側結合領域１４１における保持を安定した状態で行うことができる。
【０３５６】
（１７）上記実施の形態では、受け部材１５３を金属製としたが、裏側構成体１０２の壁部よりも高強度であれば金属製に限定されない。例えば、裏側構成体１０２を形成する合成樹脂材料又はそれとは別の合成樹脂材料にガラス繊維などの補強剤を分散させた材料により受け部材１５３を形成することで、裏側構成体１０２の壁部よりも高強度にしてもよい。また、裏側構成体１０２を形成する合成樹脂材料又はそれとは別の合成樹脂材料により形成したものに対してメッキなどの表面処理を施すことによって受け部材１５３を形成することで、裏側構成体１０２の壁部よりも高強度にしてもよい。
【０３５７】
（１８）カバー部材１５４を不具備とし、代わりに、表側結合部１４２に対応した形状の開口や、表側結合部１４２をガイドするためのガイド部としての機能が、受け部材１５３に一体化された構成としてもよい。この場合、受け部材１５３を結合領域形成部１５２に設置することで裏側結合領域１５１が形成されるため、当該裏側結合領域１５１の形成作業を簡略化できるとともに、カバー部材１５４が不具備となることで部材点数の削減が図られる。
【０３５８】
（１９）表側結合部１４２と裏側結合部１７６との結合が結合具１８１により行われるのではなく、破断ネジにより行われる構成としてもよい。ここで、破断ネジとは、ドライバなどの工具の先端を差込可能な頭部と、ネジ溝が形成された側との連結部分の強度が低く設定されたものであり、それ以上締めることができない位置において頭部に対して上記工具によりさらに所定の力を加えることにより、上記連結部分が切断され、頭部が分離されるものである。つまり、破断ネジは、螺着後において上記工具を用いて緩める方向へ回転させることを不可とするものである。本構成の場合、受け部材１５３は、破断ネジを螺着するためのネジ孔部が各裏側結合部１７６に対応させて設けられた構成であればよい。
【０３５９】
また、表側結合部１４２と裏側結合部１７６との結合が破断ネジではなく通常のネジにより行われる構成としてもよい。この場合に、当該通常のネジにより表側結合部１４２と裏側結合部１７６とを結合した後に、当該ネジの取り外しを不可とするようにネジの頭部を封止することで、表側結合部１４２と裏側結合部１７６との結合状態の解除が不可又は困難なものとなる。
【０３６０】
（２０）基板ボックス９２から連結部１４５，１４６を不具備とし、代わりに、基板ボックス９２において内部空間を規定する壁部に、当該壁部を複数の領域に区画するようにして切断許容部を形成する構成としてもよい。この切断許容部は、複数の貫通孔を並設することにより形成してもよく、周囲に比べ肉薄な部分に形成してもよく、周囲に比べ弱い材料により形成してもよい。
【０３６１】
（２１）主制御装置の構成を図２４に示すように変更してもよい。
【０３６２】
図２４に示す主制御装置２５０は基板ボックス２５１を備えている。当該基板ボックス２５１は上記実施の形態における主制御装置６３の基板ボックス９２と同様に、表側構成体２５２と裏側構成体２５３とを備えており、これら両構成体２５２，２５３が組み合わされて形成された内部空間に主制御基板２５４が収容されている。
【０３６３】
この場合に、上記実施の形態における基板ボックス９２では、フック部１１１が表側構成体１０１に設けられているとともに、係止受け１２１が裏側構成体１０２に設けられていたが、本基板ボックス２５１では、両者の関係が逆となっている。つまり、フック部２５５が裏側構成体２５３に設けられているとともに、係止受け２５６が表側構成体２５２に設けられている。当該構成であっても、裏側構成体２５３においてフック部２５５を有する縁部にて基板ボックス２５１の内部空間の周面が構成されているため、上記実施の形態と同様に、基板ボックス２５１の小型化を図ることができる。
【０３６４】
（２２）フック部と係止受けとの位置関係について、基板ボックス９２の対向する長辺部における一方と他方とで逆となる構成としてもよい。つまり、基板ボックス９２の一方の長辺部では、表側構成体１０１にフック部を設けるとともに、裏側構成体１０２に係止受けを設ける。また、他方の長辺部では、表側構成体１０１に係止受けを設けるとともに、裏側構成体１０２にフック部を設ける。本構成であっても、各構成体１０１，１０２においてフック部が形成された周壁部にて、基板ボックス９２の内部空間を規定する周面の一部を構成することで、基板ボックス９２の小型化が図られる。
【０３６５】
（２３）上記実施の形態では、基板ボックス９２の対向する長辺部に対して、フック部１１１及び係止受け１２１の組み合わせを設けるようにしたが、これに代えて、基板ボックス９２の対向する短辺部に対して、フック部１１１及び係止受け１２１の組み合わせを設けるようにしてもよい。また、対向する辺部の両方に対してフック部１１１及び係止受け１２１の組み合わせを設けるのではなく、一方にのみフック部１１１及び係止受け１２１の組み合わせを設けるようにしてもよい。
【０３６６】
（２４）上記実施の形態では、フック部１１１と係止受け１２１との係止箇所を基板ボックス９２の内部空間及び外側において囲むように囲み部（周壁部１２２，１２３及び台座部１２４，１２５）を設けたが、これに代えて、囲み部において内側壁部１２６を不具備とし、フック部１１１と係止受け１２１との係止箇所が基板ボックス９２の内部空間において露出した構成としてもよい。この場合、上記実施の形態に比べ、フック部１１１と係止受け１２１との係止箇所に対してアクセスし易くなるが、台座部１２４，１２５において内側壁部１２６を不具備とすることができるため、上記実施の形態よりも基板ボックス９２の内部空間を拡張することができる。
【０３６７】
（２５）上記実施の形態において、基板ボックス９２を形成するボックス構成体の数は複数であれば任意であり、４個以上のボックス構成体を組み合わせることにより、基板ボックス９２が形成される構成としてもよい。この場合に、主制御基板９１と表側構成体１０１との間に両者の空間を遮るように別のボックス構成体が設けられていてもよく、主制御基板９１と裏側構成体１０２との間に両者の空間を遮るように別のボックス構成体が設けられていてもよい。
【０３６８】
（２６）上記実施の形態においてフック部１１１及び係止受け１２１を不具備とし、基板ボックス９２の長辺部においては表側構成体１０１及び裏側構成体１０２を接着剤により接着する構成としてもよい。
【０３６９】
（２７）上記実施の形態において主制御装置６３の基板ボックス９２に適用した構成を、音声ランプ制御装置６６、払出制御装置８２、電源及び発射制御装置８３といった他の制御装置に対して適用してもよい。
【０３７０】
（２８）上記実施の形態では、外側貯留部として上皿５７ａと下皿５８ａとを備えたパチンコ機１０に本発明を適用したが、これに代えて、単一の外側貯留部を備えたパチンコ機に本発明を適用してもよい。また、停電監視装置を主制御装置６３とは別に設けることで、主制御基板９１は主制御回路２０２のみの機能を有する構成としてもよい。
【０３７１】
（２９）上記実施の形態では、カバー部材１５４によって受け部材１５３を覆う構成としたが、このカバー部材１５４を省略することも可能である。また、これに伴って破断ネジ１７０を省略することも可能である。かかる場合、例えば受け部材１５３が裏側構成体１０２に対してインサート成型してもよい。このようにインサート成型を行ったとしても、各裏側結合部１７６に対応させて個別に受け部材が設けられた構成に比べ、単一の受け部材１５３とすることで、裏側構成体１０２を成型する金型内に受け部材１５３を配置する作業の作業性は向上する。
【０３７２】
（３０）上記実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも本発明を適用できる。
【０３７３】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組み合わせが成立していた場合にはメダルの払い出し等といった特典を遊技者に付与するスロットマシンにも本発明を適用できる。
【０３７４】
また、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも本発明を適用できる。
【符号の説明】
【０３７５】
１０…パチンコ機、６３…主制御装置、９１…主制御基板、９２…基板ボックス、１０１…表側構成体、１０２…裏側構成体、１０３…表側周縁部、１０４…膨出部、１０５…平面部、１０６…裏側周縁部、１１１…フック部、１１２…枠部、１２１…係止受け、１２２…上側周壁部、１２３…下側周壁部、１２４…上側台座部、１２５…下側台座部、１２８…受け部、１４１…固定手段を構成する表側結合領域、１４２…第１表側結合部、１４２ｂ…区画壁部としての周壁部、１４３…第２表側結合部、１４３ｂ…区画壁部としての周壁部、１４４…連結部、１４５…解除部としての連結部、１５１…固定手段を構成する裏側結合領域、１５２…設置部としての結合領域形成部、１５３…受け部材、１５４…規制部材としてのカバー部材、１５８…係止部、１６１…溝部としての凹み空間、１６４，１６５…対向板部、１７０…規制部材固定手段としての破断ネジ、１７０ａ…操作部としての頭部、１７０ｂ…固定部としての連結部分、１７４…開口としての貫通孔部、１７５…区画壁部、１７６…裏側結合部、１７８…規制部材側壁部としての円筒部、１８０…構成体側壁部としての遮蔽部、１８１…固定具としての第１結合具、１８２…第１収容凹部、１８３…固定具としての第２結合具、１８３ｂ…操作面部としての操作部、１８４…第２収容凹部、１８５…受け板部。
【図１】
0006020544.tif 000002
【図２】
0006020544.tif 000003
【図３】
0006020544.tif 000004
【図４】
0006020544.tif 000005
【図５】
0006020544.tif 000006
【図６】
0006020544.tif 000007
【図７】
0006020544.tif 000008
【図８】
0006020544.tif 000009
【図９】
0006020544.tif 000010
【図１０】
0006020544.tif 000011
【図１１】
0006020544.tif 000012
【図１２】
0006020544.tif 000013
【図１３】
0006020544.tif 000014
【図１４】
0006020544.tif 000015
【図１５】
0006020544.tif 000016
【図１６】
0006020544.tif 000017
【図１７】
0006020544.tif 000018
【図１８】
0006020544.tif 000019
【図１９】
0006020544.tif 000020
【図２０】
0006020544.tif 000021
【図２１】
0006020544.tif 000022
【図２２】
0006020544.tif 000023
【図２３】
0006020544.tif 000024
【図２４】
0006020544.tif 000025